(57)【要約】  ハニカム建築構造体の優れた特性をさらに高めることにより、耐震性及び耐風性に関してさらに強固とする。  第１次、．．．、第ｋ−１次、第ｋ次、．．．及び第ｎ次六角形フレーム（２≦ｋ≦ｎ、ｎは２以上のいずれかの整数）からなり第ｋ−１次六角形フレームと第ｋ次六角形フレームとの相似比が１より大きい整数値である六角形フレーム群を用いて形成された建築構造体であって、複数の第１次六角形フレームをハニカム形状に接合し鉛直方向に立設したハニカムフレームを備え、ハニカムフレーム内に第２次〜第ｎ次六角形フレームがそれぞれ１又は複数配置され、各第ｋ次六角形フレームがいずれかの第ｋ−１次六角形フレームの開口内に配置され、第ｋ次六角形フレームのうち少なくとも１つは第ｋ−１次六角形フレームのいずれかの頂点位置に配置されて第ｋ−１次六角形フレームと接合される。
2008139582.tif 000002
【特許請求の範囲】
【請求項１】
第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が１より大きい整数値である六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜第ｎ次六角形フレームがそれぞれ１又は複数配置され、
（ｃ）各前記第ｋ次六角形フレームがいずれかの前記第ｋ−１次六角形フレームの開口内に配置され、かつ該第ｋ次六角形フレームのうち少なくとも１つは該第ｋ−１次六角形フレームのいずれかの頂点位置に配置されて該第ｋ−１次六角形フレームと接合されていることを特徴とする建築構造体。
【請求項２】
前記第ｋ−１次六角形フレームのいずれかの頂点を形成する２辺とその開口内に配置された２つの前記第ｋ次六角形フレームの各１辺とにより菱形空間が形成される場合に、該菱形空間に挿入され接合された挿入部材をさらに備えたことを特徴とする請求項１に記載の建築構造体。
【請求項３】
前記挿入部材が、菱形フレーム、菱形パネル、２つの同形状の三角形フレーム及びサブ六角形フレームを含む群から選択されたいずれかであることを特徴とする請求項２に記載の建築構造体。
【請求項４】
第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が１より大きい整数値である六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜第ｎ次六角形フレームがそれぞれ１又は複数配置され、
（ｃ）２又はそれ以上の前記第ｋ次六角形フレームがいずれかの前記第ｋ−１次六角形フレームの開口内に配置され、かつ該第ｋ−１次六角形フレームのいずれかの頂点を形成する２辺と少なくとも２つの該第ｋ次六角形フレームの各一辺とにより菱形空間が形成され、
（ｄ）前記菱形空間に挿入され接合された挿入部材をさらに備えたことを特徴とする建築構造体。
【請求項５】
前記挿入部材が、菱形フレーム、菱形パネル、２つの同形状の三角形フレーム及びサブ六角形フレームを含む群から選択されたいずれかであることを特徴とする請求項４に記載の建築構造体。
【請求項６】
第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が整数値以外の１より大きい実数値である六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜第ｎ次六角形フレームがそれぞれ１又は複数配置され、
（ｃ）各前記第ｋ次六角形フレームがいずれかの前記第ｋ−１次六角形フレームの開口内に配置され、かつ該第ｋ次六角形フレームのうち少なくとも１つは該第ｋ−１次六角形フレームのいずれかの頂点位置に配置されて該第ｋ−１次六角形フレームと接合されていることを特徴とする建築構造体。
【請求項７】
第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が整数値以外の１より大きい実数値である、六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜前記ｎ次六角形フレームが１又は複数配置され、
（ｃ）各前記第ｋ次六角形フレームがいずれかの前記第ｋ−１次六角形フレームの開口内に配置され、かつ該第ｋ次六角形フレームの外周全体が該第ｋ−１次六角形フレームの内周全体に当接し互いに接合されていることを特徴とする建築構造体。
【請求項８】
六角形フレームと、該六角形フレームの各辺を１辺として該六角形フレームを６分割した基本三角形に対する相似比が１より大きい整数値である三角形フレームとを用いて形成された建築構造体であって、
（ａ）複数の前記六角形フレームをハニカム形状に接合し鉛直方向に立設したハニカムフレームを備え、
（ｂ）２又はそれ以上の前記三角形フレームがいずれかの前記六角形フレームの開口内に配置され、かつ少なくとも２つの該三角形フレームが該六角形フレームのいずれかの頂点位置に配置されて該六角形フレームと接合されていることを特徴とする建築構造体。
【請求項９】
六角形フレームと、第１次、第２次、．．．、第ｋ−１次、第ｋ次、．．．及び第ｎ次三角形フレーム（２≦ｋ≦ｎ、ｎは２以上のいずれかの整数）からなる三角形フレーム群とを用いて形成された建築構造体であって、
（ａ）前記第１次三角形フレームは前記六角形フレームの各辺を１辺として該六角形フレームを６分割した基本三角形に対する相似比が１より大きい整数値であり、かつ前記第ｋ−１次三角形フレームと前記第ｋ次三角形フレームとの相似比が１より大きい整数値であり、
（ｂ）複数の前記六角形フレームをハニカム形状に接合し鉛直方向に立設したハニカムフレームを備え、
（ｃ）前記ハニカムフレーム内に前記第１次三角形フレームが２又はそれ以上配置され、かつ前記第２次〜第ｎ次三角形フレームがそれぞれ１又は複数配置され、
（ｄ）２又はそれ以上の前記第１次三角形フレームがいずれかの前記六角形フレームの開口内に配置され、かつ少なくとも２つの該第１次三角形フレームが該六角形フレームのいずれかの頂点位置に配置されて該六角形フレームと接合されており、
（ｅ）１又は複数の前記第ｋ次三角形フレームがいずれかの前記第ｋ−１次三角形フレームの開口内に配置され、かつ少なくとも１つの該第ｋ次三角形フレームが該第ｋ−１次三角形フレームのいずれかの頂点位置に配置されて該第ｋ−１次三角形フレームと接合されていることを特徴とする建築構造体。
【請求項１０】
前記ハニカムフレーム内に前記第２次〜第ｎ次六角形フレームが配置される場合に、相対的に下方に位置する前記第１次六角形フレームの開口内に配置された高次の前記六角形フレームの数が、相対的に上方に位置する前記第１次六角形フレームの開口内に配置されたそれらよりも多いことを特徴とする請求項１〜７のいずれかに記載の建築構造体。
【請求項１１】
前記ハニカムフレームを形成する複数の前記第１次六角形フレームの少なくとも一部が、その開口内に高次の前記六角形フレームを配置しないことを特徴とする請求項１〜７のいずれかに記載の建築構造体。
【請求項１２】
前記ハニカムフレーム内に前記第１次〜第ｎ次三角形フレームが配置される場合に、相対的に下方に位置する前記六角形フレームの開口内に配置された三角形フレームの数が、相対的に上方に位置する前記六角形フレームの開口内に配置されたそれらよりも多いことを特徴とする請求項８又は９に記載の建築構造体。
【請求項１３】
前記ハニカムフレームを形成する複数の前記六角形フレームの少なくとも一部が、その開口内に三角形フレームを配置しないことを特徴とする請求項８又は９のいずれかに記載の建築構造体。
【請求項１４】
前記ハニカムフレームを形成する複数の前記六角形フレームの各々が、隣り合う六角形フレームと一辺を共有することを特徴とする請求項１〜９のいずれかに記載の建築構造体。
【請求項１５】
前記ハニカムフレームを形成する複数の前記六角形フレームの各々が、隣り合う六角形フレームと互いの一辺と一辺とを接合させることを特徴とする請求項１〜９のいずれかに記載の建築構造体。
【請求項１６】
請求項１〜９のいずれかの建築構造体における前記ハニカムフレーム及びその内部構造を、２種又はそれ以上、部分的に混在させて形成したことを特徴とする建築構造体。
【請求項１７】
前記ハニカムフレームを形成する複数の前記六角形フレームの各々が、各頂点において剛接合されていることを特徴とする請求項１〜９のいずれかに記載の建築構造体。
【発明の詳細な説明】
【技術分野】
【０００１】
本発明は、六角形の構造フレームをハニカム形状に接合したハニカムフレームと、その内部に挿入された種々の構造フレームとを備えた建築構造体に関し、特にハニカムフレームの内部構造がフラクタル的な幾何学特性を有する建築構造体に関する。
【背景技術】
【０００２】
従来、高層または超高層の建築構造体としては直柱と水平梁とを３次元格子状に組み合わせたラーメン架構が一般的であったが、全ての柱間に梁があるため内部設計に制約が多いという欠点があった。これに対し、建築物の外周に配置した柱とそれをつなぐ梁で構成されるチューブ架構は、内部に柱や梁のない空間を確保できるため、設計上の自由度が大きいという利点がある。また、建築物全体がチューブ状に変形することにより耐震性、耐風圧性にも優れるとされている。【０００３】
チューブ架構においても、直柱と水平梁とからなる四角形を単位格子とする一般ラーメン架構（特許文献１、２）があるが、その他に三角形または六角形を利用して二次元すなわち面状の構造を形成したものも知られている。【０００４】
六角形の単位格子を連結したハニカム形状の構造は、古くから強固であることが知られている。六角形格子のチューブ架構への適用例としては、特許文献３に示すように水平方向に六角形格子を連結してハニカム構造を形成し、鉛直方向は直柱で連結したものがある。この構造は、鉛直面内においてはハニカム形状を有していない。【０００５】
また、非特許文献１には、曲面表層にハニカム状のスティール部材を設け、内部を柱で支持した建築物が提示されている。もっともこの建築物の表層におけるハニカム状のスティール部材は、同形の六角形格子を均等バランスで連結したものではなく、格子の各辺も一般的な線状部材（柱、梁等）ではない。【０００６】
最近、チューブ架構に関して、本出願人に係る特許文献４及び非特許文献２のハニカム建築構造体が提示された。この建築構造体では、六角形格子をハニカム形状に剛接合することにより外周面であるチューブ架構が形成されている。このようなチューブ架構においては、梁は水平方向に連続しておらず、柱も全てジグザグに連続する斜柱となる。このような構造は、様々な方向から建築物に加わる力を、梁又は柱の軸力に変換しやすいという利点がある。また、ハニカム構造の剛性により、チューブ架構のみによって建築物全体の構造的安定性と耐震性を確保することができる。構造解析の結果からも、ハニカムのチューブ架構は、一般ラーメンのチューブ架構に比べて同じ水平負荷に対する変形及び曲げモーメントの応力が小さいことが確認された。つまり、同じ量の変形及び曲げモーメントの応力に対する耐性を確保する場合に、ハニカム構造では、一般ラーメン構造に比べて梁及び柱を細くできる。加えて、内部の補強構造がなくとも十分な強度を実現可能であるため、自由な内部空間を十分確保できる。【０００７】
一方、三角形の単位格子を連結した構造は、チューブ架構よりもむしろ特許文献５のようにドーム形状に多く用いられている。ドーム形状以外の例として、特許文献６は、三角形を基本とするフラクタル幾何学図形を適用した骨組構造を開示する。特許文献６は、シルピンスキーの三角形として周知のフラクタル幾何学図形を建築物の骨組構造としている。これは、図形上の三角形の一辺をそのまま建築物における線状部材に置き換え、互いに接合することにより形成したトラス構造である。フラクタルな図形とは、概説すれば、分割（又は拡大）を繰り返しても元の図形と似た形が現れる自己相似性をもった図形をいう。自然科学の分野ではフラクタルに関する研究が進められているが、建築分野における応用例はほとんどない。
【特許文献１】特開平７−１９７５３５号公報
【特許文献２】特開２００４−２５１０５６号公報
【特許文献３】特開平９−６０３０１号公報
【特許文献４】特許第３８１１７０８号公報
【特許文献５】特開２０００−１４４９０９号公報
【特許文献６】特開平７−２６９００９号公報
【非特許文献１】「グラウンド・ゼロ再生への始動ニューヨークWTC跡地建築コンペティション選集」スザンヌ・スティーブンス著、下山裕子訳、２００４年１２月１日発行、発行所：株式会社エクスナレッジ、p.137
【非特許文献２】「HONEYCOMBTUBE ARCHITECTURE−ハニカムチューブの建築」ＨＴＡ研究会編集、２００６年１２月１０日発行、発行所：株式会社新建築社
【発明の開示】
【発明が解決しようとする課題】
【０００８】
上記のように、特許文献４で提示されたハニカム形状のチューブ架構は、従来の一般ラーメン構造に比べてその単位格子の頂点における変形及び曲げモーメントの応力が小さいという利点がある。
しかしながら、ハニカム形状の架構自体についてみれば、六角形格子の頂点における曲げモーメントは、他の部分（例えば辺の中央部分）に比べて大きい。例えば、同じ太さの線状部材を接合してハニカム形状の架構を構築した場合、六角形格子の頂点部分は他の部分に比べて弱いといえる。【０００９】
本発明は、ハニカム形状をもつ建築構造体の優れた特性をさらに高めることにより、耐震性及び耐風圧性に関して強固な建築構造体を提供することを目的とする。特に、高層、超高層に好適な建築構造体を提供することを目的とする。
【課題を解決するための手段】
【００１０】
（１）本発明による建築構造体の一形態（請求項１〜３）は、第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。この形態では、第ｋ−１次六角形フレームと第ｋ次六角形フレームの相似比は、１より大きい整数である（但し、２≦ｋ≦ｎ）。例えば、第１次六角形フレームの一辺の長さを「１０（任意の単位）」とした場合、第２次六角形フレームの一辺の長さを「５」とすると相似比は「２」である。第２次六角形フレームの一辺の長さを「１０／３」とすると相似比は「３」である。
また、建築構造体を形成するために、少なくとも２種類の大きさの異なる六角形フレームを用いる（すなわち、ｎは２以上の整数）。つまり、少なくとも第１次と第２次の六角形フレームを用いる。
さらに、最大である第１次六角形フレームは、複数個用いられる。複数個の第１次六角形フレームは、ハニカム形状に接合され鉛直方向に立設されたハニカムフレームを形成する。
第２次〜第ｎ次六角形フレームは、それぞれ１又は複数個用いられる。第２次〜第ｎ次六角形フレームの各々は、ハニカムフレームの内部に配置される。つまり、第２次〜第ｎ次六角形フレームの各々は、いずれかの第１次六角形フレームの開口内に配置されることにより、ハニカムフレームの面内に収容されている。
さらに、１つの第ｋ次六角形フレームに着目すると、第ｋ次六角形フレームはいずれかの第ｋ−１次六角形フレームの開口内に配置されている。第ｋ−１次六角形フレームは、第ｋ次六角形フレームより１段階だけ大きいフレームである。基本的には、いずれの六角形フレームも必ず、自身よりも１段階大きい六角形フレーム内に直接配置され、２段階以上大きい六角形フレーム内に直接配置されることはない（以下の形態においても同様）。
そして、第ｋ−１次六角形フレーム内に１又は複数の第ｋ次六角形フレームが配置された場合、少なくとも１つの第ｋ次六角形フレームは、第ｋ−１次六角形フレームの６個の頂点のうちいずれかの頂点位置に配置されて第ｋ−１次六角形フレームと接合されている。第ｋ次六角形フレームと第ｋ−１次六角形フレームは相似であるから、頂点位置において前者の外周と後者の内周とは隙間なく当接する。【００１１】
この形態においては、第ｋ−１次六角形フレームの６つの頂点のうち、上記のように第ｋ次六角形フレームが配置されていない頂点の近傍は、次のような構造とすることが好適である。第ｋ−１次六角形フレームの頂点を形成する２辺と、その開口内に配置された２つの第ｋ次六角形フレームの各１辺とにより菱形空間を形成し、その菱形空間に挿入部材を挿入し接合する。挿入部材は、菱形フレーム、菱形パネル、２つの同形状の三角形フレーム及びサブ六角形フレームを含む群から選択されたいずれかである。【００１２】
（２）本発明による建築構造体のさらに別の形態（請求項４、５）は、上述の形態と類似している。上述の形態と相違する点は、第ｋ−１次六角形フレーム内に配置される２又はそれ以上の第ｋ次六角形フレームが、いずれの頂点位置にも配置されないことである。その替わりに、この形態では、第ｋ−１次六角形フレームのいずれかの頂点を形成する２辺と、２つの第ｋ次六角形フレームの各一辺とが菱形空間を形成する。そして、この菱形空間に挿入部材を挿入し接合する。挿入部材は、菱形フレーム、菱形パネル、２つの同形状の三角形フレーム及びサブ六角形フレームを含む群から選択されたいずれかである。【００１３】
（３）本発明による建築構造体のさらに別の形態（請求項６）は、第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。上述した最初の形態と異なりこの形態では、第ｋ−１次六角形フレームと第ｋ次六角形フレームの相似比は、整数値以外の１より大きい実数値である。例えば、第１次六角形フレームの一辺の長さを「１０」とした場合、第２次六角形フレームの一辺の長さを「８」とすると相似比は「１．２５」であり、第２次六角形フレームの一辺の長さを「４」とすると相似比は「２．５」である。この点を除く他の構成は、複数の第１次六角形フレームがハニカムフレームを形成することを含め、上述の最初の形態と同様である。【００１４】
（４）本発明による建築構造体のさらに別の形態（請求項７）は、第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。上述の最初の形態と異なりこの形態では、第ｋ−１次六角形フレームと第ｋ次六角形フレームの相似比は、整数値以外の１より大きい実数値である。複数の第１次六角形フレームがハニカムフレームを形成する。さらに、この形態では、第ｋ次六角形フレームが第ｋ−１次六角形フレームの開口内に配置される場合に、第ｋ次六角形フレームの外周全体が第ｋ−１次六角形フレームの内周全体に当接し互いに接合される。つまり、１つの第ｋ−１次六角形フレームの開口内に第ｋ次六角形フレームが１つだけ配置される。【００１５】
（５）本発明による建築構造体のさらに別の形態（請求項８）は、六角形フレームと、1種類の三角形フレームとを用いて形成される。三角形フレームは、六角形フレームの各辺を１辺としてこの六角形フレームを６分割した基本三角形と相似形であり、その相似比は１より大きい整数値である。例えば、六角形フレームの一辺の長さを「１０」とすると基本三角形の一辺の長さも「１０」であり、三角形フレームの一辺の長さを「５」とすると相似比は「２」である。
六角形フレームは複数個用いられ、これらの複数の六角形フレームはハニカム形状に接合され鉛直方向に立設されたハニカムフレームを形成する。
三角形フレームは２又はそれ以上用いられる。それらのうち少なくとも２つの三角形フレームは、いずれかの六角形フレームの開口内において、その六角形フレームのいずれかの頂点位置に配置される。そしてこれら２つの三角形フレームと六角形フレームとが接合される。これら２つの三角形フレームは菱形を形成するので、六角形フレームの頂点を形成する２辺と隙間なく当接する。【００１６】
（６）本発明による建築構造体のさらに別の形態（請求項９）は、六角形フレームと、第１次、第２次、．．．、第ｋ−１次、第ｋ次、．．．及び第ｎ次三角形フレームからなる三角形フレーム群とを用いて形成される。三角形フレーム群は、互いに相似で大きさの異なるｎ種類の三角形フレームからなり、高次のものほど小さくなる。この形態では、少なくとも２種類（すなわち第１次と第２次）の三角形フレームを用いる。第１次三角形フレームは、六角形フレームの各辺を１辺としてこの六角形フレームを６分割した基本三角形と相似であり、その相似比は１より大きい整数値である。例えば、六角形フレームの一辺の長さを「１０」とすると基本三角形の一辺の長さも「１０」であり、第１次三角形フレームの一辺の長さを「５」とすると相似比は「２」である。第ｋ−１次三角形フレームと第ｋ次三角形フレームの相似比も１より大きい整数値である（但し、２≦ｋ≦ｎ）。例えば、第１次三角形フレームの一辺の長さを「１０」、第２次三角形フレームの一辺の長さを「１０／３」とすると相似比は「３」である。
六角形フレームは複数個用いられ、これらの複数の六角形フレームはハニカム形状に接合され鉛直方向に立設されたハニカムフレームを形成する。
第１次三角形フレームは２又はそれ以上、第２次〜第ｎ次三角形フレームはそれぞれ１又は複数用いられる。これらの第１次〜第ｎ次三角形フレームの各々は、ハニカムフレームの内部に配置される。つまり、第１次〜第ｎ次三角形フレームの各々は、いずれかの六角形フレームの開口内に配置されることにより、ハニカムフレームの面内に収容されている。
さらに、２又はそれ以上の第１次三角形フレームがいずれかの六角形フレームの開口内に配置される。それらのうちの少なくとも２つが六角形フレームのいずれかの頂点位置に配置され接合されている。これら２つの第１次三角形フレームは菱形を形成するので、六角形フレームの頂点を形成する２辺と隙間なく当接する。
またさらに、１又は複数の第ｋ次三角形フレームが、いずれかの第ｋ−１次三角形フレームの開口内に配置される。それらのうちの少なくとも１つの第ｋ次三角形フレームが第ｋ−１次三角形フレームのいずれかの頂点位置に配置されて該第ｋ−１次三角形フレームと接合されている。第ｋ−１次三角形フレームは、第ｋ次三角形フレームより１段階だけ大きいフレームである。第ｋ次三角形フレームと第ｋ−１次三角形フレームとは相似であるので、頂点位置において前者の外周が後者の内周に隙間なく当接する。基本的には、第２次より高次の三角形フレームは、必ず、自身よりも１段階だけ大きい三角形フレーム内に直接配置され、２段階以上大きい三角形フレーム内に直接配置されることはない。【００１７】
（７）本発明による建築構造体のさらに別の形態（請求項１０、請求項１１）は、上記においてハニカムフレーム内に第２次〜第ｎ次六角形フレームが配置される場合に、相対的に下方に位置する第１次六角形フレームの開口内に配置された高次の六角形フレームの数が、相対的に上方に位置する第１次六角形フレームの開口内に配置されたそれらよりも多いことを特徴とする。
また、ハニカムフレームにおける一部の第１次六角形フレームについては、開口内に高次の六角形フレームを配置しないものがあってもよい。【００１８】
（８）本発明による建築構造体のさらに別の形態（請求項１２、請求項１３）は、上記においてハニカムフレーム内に第１次〜第ｎ次三角形フレームが配置される場合に、相対的に下方に位置する六角形フレームの開口内に配置された三角形フレームの数が、相対的に上方に位置する六角形フレームの開口内に配置されたそれらよりも多いことを特徴とする。
また、ハニカムフレームにおける一部の六角形フレームについては、開口内に三角形フレームを配置しないものがあってもよい。【００１９】
（９）本発明による建築構造体のさらに別の形態（請求項１４）は、上記においてハニカムフレームを形成する複数の六角形フレームの各々が、隣り合う六角形フレームと一辺を共有することを特徴とする。【００２０】
（１０）本発明による建築構造体のさらに別の形態（請求項１５）は、上記においてハニカムフレームを形成する複数の六角形フレームの各々が、隣り合う六角形フレームと互いの一辺と一辺とを接合させることを特徴とする。【００２１】
（１１）本発明による建築構造体のさらに別の形態（請求項１６）は、上記のいずれかの建築構造体におけるハニカムフレーム及びその内部構造を、２種又はそれ以上部分的に混在させたことを特徴とする。  
（１２）本発明による建築構造体のさらに別の形態（請求項１７）は、上記いずれかの建築構造体におけるハニカムフレームを形成する複数の六角形フレームの各々が、各頂点において剛接合されていることを特徴とする。
【発明の効果】
【００２２】
（Ａ）本発明による建築構造体は、六角形フレームを単位格子とし、複数の六角形フレームをハニカム形状に接合して形成したハニカムフレームを備えている。ハニカムフレームを形成する六角形フレームの各頂点部分は剛接合されており、各頂点部分に剛域を形成している。背景技術で述べた通り、ハニカム構造は、それ自体が、四角形を単位格子とする従来のラーメン構造に比べて強固である。ハニカムフレームを外周チューブ架構に適用した場合、高層及び超高層のメインフレームとして建築物全体の構造的安定性と耐震性を確保できる。さらに、部材量を低減でき、工期も短縮でき、かつ自由な内部空間を確保できる利点も有する。
本発明の特徴は、基本構造であるハニカムフレームに対し、さらに内部構造を付加した点である。この結果、本発明による建築構造体は、ハニカムフレームのみで形成した場合よりもさらに構造的強度を向上させることができる。【００２３】
ハニカムフレームに付加する内部構造は、フラクタル的な形状特性を有することが特徴である。本発明で称する「フラクタル的」とは、数学において厳密に定義されるフラクタルより広い意味で解釈されるべきであり、少なくとも部分的に自己相似形状が繰り返し（少なくとも１回）現れる特性を有していることをいう。フラクタル又はフラクタル的な形状をデザイン的に捉えた場合、極めて多くのバリエーションが存在可能であることが予想される。しかしながら、本発明は、単なるデザイン上のバリエーションを提示したものではなく、建築構造体における構造耐力上の有利性という技術的意義に裏付けられたものである。【００２４】
（Ｂ）本発明の建築構造体の一形態では、ハニカムフレーム及びその内部構造が、互いに相似で大きさが段階的に小さくなる第１次、第２次、．．．、第ｎ次六角形フレームからなる六角形フレーム群から形成される。ハニカムフレームは、最大の大きさをもつ第１次六角形フレームを複数用いて形成され、鉛直方向に立設される。従って、ハニカムフレーム及びその内部構造は、建築構造体において鉛直方向に面状（平面及び曲面を含む）に延在する構造要素として適用可能である。好適例は、外周チューブ架構の全体又は一部であるが、これに限定されない。【００２５】
第２次〜第ｎ次六角形フレームは、それぞれ１又は複数用いられ、その各々がいずれかの第１次六角形フレームの開口内に配置される。
ここで、大きさが１段階だけ異なる第ｋ−１次六角形フレームと第ｋ次六角形フレームとの関係を分かり易く説明するために、前者を「親フレーム」と、後者を「子フレーム」と称することとする。子フレームは、必ず、親フレームの開口内に配置される。さらに、１つの親フレームの開口内に１又は複数の子フレームが配置された場合、それらの子フレームのうち少なくとも１つは親フレームのいずれかの頂点位置に配置され、互いに接合される。【００２６】
前述の通り、ハニカムフレームにおいては、六角形格子の頂点近傍における変形及び曲げモーメントの応力は他の部分に比べて大きい。本発明では、１つの第１次六角形フレームの頂点の内側に、相似で小さい第２次六角形フレームを重ねて接合することにより、その頂点を形成する２辺の部材を事実上太く（断面積を大きく）することができる。この結果、その頂点近傍の剛性が高くなり補強される。言い換えるならば、その頂点近傍の剛域が拡大されることになる。さらに、第２次六角形フレームの内側に、第３次六角形フレームを重ねて接合できる。配置可能である限り、さらに高次の六角形フレームを重ねて接合し、より大きな強度を実現できる。第１次〜第ｎ次六角形フレームは、相似形であるから頂点位置において各辺同士を隙間なく当接させることができる。
このように、本発明によれば、ハニカムフレームにおいて相対的に弱い頂点近傍の剛性を、所望する程度に応じて高めることができるため、建築構造体全体の強度を向上させることができる。この結果、高層及び超高層建築物に好適な耐震性及び耐風圧性に優れた建築構造体を実現できる。【００２７】
また、六角形フレーム群に含まれる六角形フレームの種類の数及びそれらの間の相似比は、どのようにも設定することができる。これにより、１つ１つの第１次六角形フレームの６つの頂点のうち、必要な箇所を必要な程度に強化できるため、建築構造体の細かい部位毎の構造設計が可能となる。従来のラーメン構造では、１つの建築構造体の下層階をＳＲＣ構造とし、上層階をＲＣ構造とするなど、複数の階層毎に所定の強度を確保するように構造設計が行われ、細部の補強は補助的構造部材であるブレースなどで行うことが一般的であった。これに対し、本発明においては、ハニカムフレームと一体的に接合される高次の六角形フレームは、全て構造部材の一部である。つまり、本発明によれば、構造部材自体の所望する箇所を所望する程度に強化することが可能となる。【００２８】
さらに、複数の子フレームが親フレームの開口内に配置される場合、それら複数の子フレーム同士は同一形状であるのでハニカム形状に接合することができる（以下、子フレームからなるハニカム形状を「サブハニカムフレーム」と称する）。このようなサブハニカムフレームは、親フレームの複数の辺と接合されることにより、強固な支持構造として機能することができる。特に、親フレームと子フレームの相似比が１より大きい整数値の場合は、親フレームの一辺は、子フレームの一辺の整数倍となるから、サブハニカムフレームの大きさを親フレームの開口の大きさに整合させることができる。整合させた場合は、サブハニカムフレームは、特に強固な構造となる。サブハニカムフレームを形成する子フレームの数が多ければ、より強固な構造となる。親フレーム内に子フレームを最大限に充填して形成したサブハニカムフレームは、最も強固な構造となる。【００２９】
なお、子フレームと親フレームは相似形であるから、親フレーム内に少なくとも２つの子フレームが配置される場合、親フレームの１つの頂点を形成する２辺と、２つの子フレームの各一辺とにより菱形空間を形成する場合がある。このような頂点位置に形成される菱形空間に、挿入部材を挿入し親フレーム及び２つの子フレームと接合することにより、その頂点近傍の剛性を高めることができる。挿入部材として菱形フレーム又は菱形パネルを用いると菱形空間を完全に充填できる。また、菱形空間の２分の１の大きさの同形状の２つの三角形フレームを挿入し接合しても菱形空間を完全に充填でき、その頂点近傍の剛性を高めることができる。またさらに、親フレーム及び子フレームと相似形のサブ六角形フレームを嵌め込む場合は、菱形空間に隙間が残るが、親フレーム及び２つの子フレームと当接して接合できるため、同様に頂点近傍の剛性を高めることができる。【００３０】
なお、親フレームの頂点が子フレームによって補強される場合と、挿入部材によって補強される場合とでは、通常、その強度が異なる。また、挿入部材の種類によっても強度が異なる。よって、それらの強度の違いを利用して、補強手段を必要に応じて使い分けることもできる。【００３１】
（Ｃ）本発明のさらに別の形態では、ハニカムフレーム及びその内部構造が、複数の六角形フレームと、互いに相似で大きさが段階的に小さくなる第１次、第２次、．．．、第ｎ次三角形フレームからなる三角形フレーム群とを用いて形成される。ハニカムフレームは、複数の六角形フレームを接合して形成され、鉛直方向に立設される。六角形フレームの各辺を１辺としてこの六角形フレームを６分割した基本三角形を想定したとき、大きさが最大の第１次三角形フレームは、この基本三角形に対し相似でその相似比が１より大きい整数値である。【００３２】
一例として、建築構造体が、ハニカムフレームと１種類の三角形フレームとを用いて形成される場合、１つの六角形フレームの開口内に２又はそれ以上の三角形フレームが配置される。そして、六角形フレームの少なくとも１つの頂点位置に２つの三角形フレームが接合される。これら２つの三角形フレームは互いに接合されると四角形を形成するから、六角形フレームの頂点を形成する２辺と隙間なく当接する。これにより、六角形フレームの頂点近傍の剛性を高めることができる。【００３３】
また別の例として、建築構造体が、ハニカムフレームと、２種類以上の三角形フレームからなる三角形フレーム群とを用いて形成される場合、１つの六角形フレームの開口内に２又はそれ以上の第１次三角形フレームが配置される。そして、六角形フレームの少なくとも１つの頂点位置に２つの第１次三角形フレームが接合される。これにより、六角形フレームの頂点近傍の剛性が高められる。すなわち頂点近傍の剛域が拡大される。また、第２次〜第ｎ次三角形フレームは、それぞれ１又は複数用いられ、各々が、いずれかの六角形フレームの開口内に配置される。【００３４】
ここで、大きさが１段階だけ異なる第ｋ−１次三角形フレームと第ｋ次三角形フレームとの関係を分かり易く説明するために、前者を「親フレーム」と称し、後者を「子フレーム」と称することとする。特別な場合として、第１次三角形フレームの親フレームは六角形フレームとなる。子フレームは、必ず、親フレームの開口内に配置される。さらに、１つの親フレームの開口内に１又は複数の子フレームが配置された場合、それらの子フレームのうち少なくとも１つは親フレームのいずれかの頂点位置に配置され、互いに接合される。これにより、その頂点位置の剛性が高められる。すなわち頂点近傍の剛域が拡大される。【００３５】
さらに、複数の子フレームが親フレームの開口内に配置される場合は、それら複数の子フレームをトラス形状に接合することができる（以下、子フレームからなるトラス形状を「サブトラスフレーム」と称する）。このようなサブトラスフレームは、親フレームの複数の辺と接合されることにより強固な支持構造として機能することができる。特に、親フレームと子フレームの相似比が１より大きい整数値の場合は、親フレームの一辺は、子フレームの一辺の整数倍となるから、サブトラスフレームの大きさを親フレームの開口の大きさに整合させることができる。整合させた場合、サブトラスフレームは、特に強固な構造となる。サブトラスフレームを形成する子フレームの数が多ければ、より強固な構造となる。親フレームの開口内に子フレームを最大限に充填したサブトラスフレームは、最も強固な構造となる。【００３６】
（Ｄ）上記の各形態において、ハニカムフレーム内に第２次〜第ｎ次六角形フレームが配置される場合、又は、第１次〜第ｎ次三角形フレームが配置される場合、ハニカムフレームにおける相対的に下方部分に対し、上方部分よりも多くの子フレームを配置することが好適である。一般的に高層又は超高層の建築物では、上層から下層へいくほど荷重負荷が大きくなり、応力が累積していく。従って、下層へいくほどフレーム構造を密にすることにより、剛性と強度をより大きくすることができ、建築物全体を安定に支持することができる。一方、上層においては、フレーム構造を疎とすることにより、軽量とすることができ、材料も低減できかつ開口を大きくとることができる。許容される場合は、上層において、六角形フレームの開口全体を空間のままとしてもよい。【００３７】
（Ｅ）本発明による建築構造体は、各フレーム毎に層状にスラブを設けることもでき、任意の高さにスラブを設けることができる。【００３８】
（Ｆ）本発明による建築構造体に基づく建築物は、非常に剛性の高い建築物となるので、振動に強く揺れが少ない。よって居住性が高い。【００３９】
（Ｇ）本発明で用いる１つの構造フレーム（例えば六角形フレーム又は三角形フレーム）を、１ユニットとして製造することにより、ユニット同士を連結することで容易に建築構造体を構築できる。全てのユニットが基本的に相似形であるので、ユニット内にユニットを挿入することも容易である。２又はそれ以上のユニットの辺同士が重なる部分においては、それらの辺を一括して連結することも容易である。このように、本発明の建築構造体は、施工性がよい。また、乾式工法が可能であるので、現場打ち鉄筋コンクリート造の湿式工法と異なり、工期を短縮できる。また、構造フレームは、規格ユニットとして工場生産できる。つまり、同断面線材の構造材をユニット化して組合せ、構造フレーム全体の強度や剛性を適宜コントロールすることができる。よって、構造履歴の保存等の品質管理も容易であり、構造部材及び建築物に対する信頼性も高くなる。【００４０】
（Ｈ）以上の通り、本発明による建築構造体は、構造的特徴による材料量の低減、良好な施工性、効率的な生産等によりコスト低減を図れる。【００４１】
（Ｉ）本発明による建築構造体は、従来の一般ラーメン構造に比べて全く異なる外観的な特徴を備えていることから、意匠性も高いという利点がある。本発明がベースとするフラクタル図形は、自然界の様々な形状（例えば雪の結晶など）を想起させるなど好印象の独自性のある意匠を実現できる。
【発明を実施するための最良の形態】
【００４２】
以下、図面を参照して本発明の実施の形態を説明する。
図１〜図４を参照して、本発明による建築構造体の一形態を説明する。
図１(ａ)は、本発明の建築構造体において面状に拡がる構造の一部のみを模式的に示した立面図である。図中の矢印で鉛直方向及び水平方向を示している。【００４３】
図１に示す形態においては、第１次六角形フレームＡ1、第２次六角形フレームＡ2、第３次六角形フレームＡ3、．．．、第ｋ−１次六角形フレームＡk-1、第ｋ次六角形フレームＡk、．．．及び第ｎ次六角形フレームＡnからなるｎ種類の六角形フレームを用いて建築構造体が形成される。第１次六角形フレームＡ１は、必須要素であり、基本構造となるハニカムフレームＨを形成する。ハニカムフレームＨを形成する第１次六角形フレームＡ1の各頂点部分は剛接合されている。よって、第１次六角形フレームＡ1の各頂点部分には、基本的に剛域が形成されている（以下の他の形態においても同様）。第２次〜第ｎ次六角形フレームについては、少なくとも第２次六角形フレームが存在する。従って、ｎは２以上のいずれかの整数である。原理的には、ｎは任意であるが、構造強度の必要性並びに配置の可能性を考慮して設定される。【００４４】
以下、説明の便宜上、「第ｋ次六角形フレームＡk」を「フレームＡk」と称する場合がある。【００４５】
第１次〜第ｎ次のｎ種類の六角形フレームＡ1〜Ａnは、全て相似形である。フレームＡ1が最大であり、第２次、第３次．．．と高次のものほど段階的に小さくなる。
図１（ｂ）は、大きさが１段階だけ異なるフレームＡk-1と、フレームＡkとの相似比Ｉk-1が、１より大きいいずれかの整数値であることを示す説明図である。但し、ｋは、２≦ｋ≦ｎの範囲の整数値である。図１の例では、フレームＡk-1とフレームＡkの相似比Ｉk-1は、全て「２」と設定している。つまり、フレームＡk-1の一辺の長さは、フレームＡkのそれの２倍である。しかしながら、各相似比Ｉk-1は、同じでなくともよい。例えば、Ｉ1を「２」とし、Ｉ2を「４」としてもよい。Ｉ2が「４」の場合、フレームＡ2の一辺の長さは、フレームＡ3のそれの４倍である。【００４６】
ここで、図１(ｃ)を参照して、相似比Ｉk-1について補足説明する。各六角形フレームは、線上構造部材から形成されたフレームであるから所定の長さ及び太さ(断面積)をもっている。フレームＡkはフレームＡk-1の開口内に配置される。この場合の相似比Ｉk-1を、フレームＡk-1の内周の一辺の長さＬk-1(in)と、フレームＡkの外周の一辺の長さＬk(out)の比の値として定義する。【００４７】
本発明による建築構造体は、ハニカムフレームＨとその内部構造とを備えている。ハニカムフレームＨは、最大のフレームＡ1を複数用いて、これらをハニカム形状に接合したものである。図示の例では、各フレームＡ1が隣り合うフレームＡ1と１つの辺を当接させて接合されている。図示しないが、別の例として、ハニカムフレームを形成する各フレームＡ1が隣り合うフレームＡ1と１つの辺を共有して接合されていてもよい。ハニカムフレームは、鉛直方向に立設されている。【００４８】
図１(ａ)では、３つのフレームＡ1だけを部分的に示しているが、実際のハニカムフレームは二次元的な拡がりをもっている。例えば、外周チューブ架構として適用可能である。また、平面又は曲面のいずれにも適用可能である。例えば、円筒形の外周チューブ架構における曲面を形成する場合は、フレームＡ1の所定の部位を曲げた変形フレームを部分的に用いればよい。また、角筒形の外周チューブ架構の場合は、例えば、隅部に変形フレームを用いて接合すればよい。【００４９】
ハニカムフレームＨの内部には、フレームＡ2〜Ａnがそれぞれ１又は複数配置される。つまり、ハニカムフレームＨ全体の中に、１又は複数のフレームＡ2と、１又は複数のフレームＡ3と、．．．、１又は複数のフレームＡnとが存在する。これらのフレームＡ2、Ａ3、．．．Ａnの各々は、いずれかのフレームＡ1の開口内に配置されている。【００５０】
基本形態においては、フレームＡ1内に全てのフレームＡ2〜Ａnが直接的に配置されているわけではない。「直接的に」とは、例えば、第１のフレームが第２の１つのフレームで囲まれ、その間に第３のフレームが介在していない場合をいう（以下の他の形態において同じ）。【００５１】
本発明のハニカムフレームとその内部構造の基本形態においては、１つのフレームＡkは、１段階だけ寸法の大きいいずれかのフレームＡk-1の開口内に直接的に配置される。例えば、図１(ａ)に示すように、１つのフレームＡ1の開口内に１又は複数のフレームＡ2が直接的に配置され、１つのフレームＡ2の開口内に１又は複数のフレームＡ3が直接的に配置され、．．．そして１つのフレームＡn-1の開口内に１又は複数のフレームＡnが直接的に配置される。【００５２】
このように、同じ配置関係を無限に繰り返し可能である点で、フラクタル的ということができる。当然ながら、建築構造体の規模及び構造部材の寸法などから、繰り返し回数は限定されることになる。また、構造強度の必要性に応じて繰り返し回数が設定されることはいうまでもない（以下の他の形態において同じ）。【００５３】
図１(ａ)の例では、相似比Ｉk-1が全て「２」であるので、１つのフレームＡk-1の開口内には最大３つのフレームＡkを配置可能である。図１(ａ)に示すように、１つのフレームＡk-1の開口内に３つのフレームＡkを配置した場合は、各フレームＡkがフレームＡk-1の１つおきの頂点位置に配置される。「頂点位置」とは、例えば、フレームＡ1では点線円Ｖ1で囲んだ領域近傍であり、フレームＡ2では点線円Ｖ2で囲んだ領域近傍である。六角形フレームの１つの頂点は、２つの辺から形成されている。フレームＡkとフレームＡk-1は相似形であるから、頂点同士が隙間なく当接する。この状態で各フレームＡkとフレームＡk-1が適宜の手段で接合される。また、３つのフレームＡk同士も適宜の手段でハニカム形状に接合され、サブハニカムフレームを形成する。フレーム同士の接合手段は、例えば、複数のフレームの互いに重なっている辺部材に対して垂直方向にボルト等を貫通させ、その両端を固定する方法がある（以下の他の形態において同じ）。【００５４】
なお、全てのフレームＡk-1の各々の開口内に最大数のフレームＡkを配置する必要はない。図１において、フレームＡk-1内に３つのフレームＡkを配置する替わりに、１つ又は２つのフレームＡkを配置してもよい。しかしながら、少なくとも１つのフレームＡkは、必ず、フレームＡk-1のいずれかの頂点位置に配置され接合される。【００５５】
フレームＡkをフレームＡk-1の頂点位置に配置し接合することにより、フレームＡk-1とフレームＡkの辺同士が重なり、事実上構造部材が太く（断面積が大きく）なる。この結果、フレームＡk-1の頂点近傍の剛性を高めることができる。つまり、その頂点近傍の剛域が拡大される。【００５６】
各六角形フレームＡ1〜Ａnは、それぞれ線状構造部材からなる６つの辺部材を接合して１つのユニットとすることが好適である。通常、小さいフレームほど細い部材で形成する。六角形は、図示の例では正六角形であるが、正六角形に限られず、左右対称（縦長又は横長の六角形など）であればよい。このようなフレーム部材としては、鉄骨造が好適である。その他に、鉄筋コンクリート造、鉄骨鉄筋コンクリート造、ＣＦＴ造、ＲＣ造、ＰＣ造、木造などでもよい。さらに、高耐力鋼を用いてもよい。高耐力鋼を用いた構造体は、耐久性に優れており、ＳＩ(スケルトン・インフィル)分離工法のスケルトンとして好適である（以下の他の形態において同じ）。【００５７】
ハニカムフレームを構成するフレームＡ1の水平な辺の位置にスラブを設け、フレームＡ1とスラブの端部とを剛接合することが好適である。ハニカムフレーム内では、１つのフレームＡ1とその横隣りのフレームＡ1とは、フレーム高さの２分の１だけずれている。よって、全てのフレームＡ1の水平な辺の位置にスラブを設けた場合、１つのフレームＡ1に２階層が形成される。さらに、フレームＡ2〜Ａnの水平な辺の位置にスラブを設けてもよい。また、フレームとは関係なく、任意の位置にスラブを設けてもよい。【００５８】
図２(ａ)〜(ｆ)はそれぞれ、ハニカムフレームとその内部構造の例を模式的に示した図である。各例では１つのフレームＡ1のみを示しているが、実際には複数のフレームＡ1がハニカムフレームを形成している。【００５９】
図２(ａ)は、３種類のフレームＡ1、Ａ2及びＡ3からなる六角形フレーム群を用いている。複数のフレームＡ2は、フレームＡ1の開口内でサブハニカムフレームを形成し、複数のフレームＡ3は、１つのフレームＡ2の開口内でサブハニカムフレームを形成している。【００６０】
図２(ｂ)〜(ｆ)は、２種類のフレームＡ1及びＡ2からなる六角形フレーム群を用いている。複数のフレームＡ2は、フレームＡ1の開口内でサブハニカムフレームを形成している。【００６１】
図２(ａ)〜(ｆ)の各図には、大きさの１段階だけ異なる２つのフレーム同士の相似比を示している。これらの例では、相似比は、全て１より大きい整数値である。相似比が大きいほど細かい内部構造となる。【００６２】
図２(ａ)〜(ｆ)の各例では、フレームＡ1の６つの頂点のうち、少なくとも１つの頂点にフレームＡ2が配置され接合されている。フレームＡ2が接合された頂点を、点線円で示している。また、フレームＡ1とフレームＡ2の相似比が整数値である場合は、フレームＡ2からなるサブハニカムフレームをフレームＡ1の開口内に整合させることができる。言い換えるならば、フレームＡ2からなるサブハニカムフレームを、フレームＡ1の開口内に移動の余地がない状態で嵌め込むことができる。相似比が整数値でない場合は、サブハニカムフレームを開口の大きさに整合させることはできない。【００６３】
なお、図２(ａ)〜(ｆ)の各例において、サブハニカムフレームを形成する複数のフレームＡ2（又はフレームＡ3）の一部を省いたものも、本発明の範囲に含まれる。但し、その場合であっても、少なくとも１つのフレームＡ2（又はフレームＡ3）は、フレームＡ1(又はフレームＡ2)の少なくとも１つの頂点位置に配置され、接合される。【００６４】
図２(ｃ)の例では、フレームＡ1の６つの頂点位置のうち、フレームＡ2と接合されていない頂点位置に挿入部材Ｂp、Ｂf、Ｃを挿入することにより、その頂点近傍の剛性を高めている。これらの頂点位置においては、フレームＡ1の１つの頂点を形成する２辺と、２つのフレームＡ2の各一辺とが菱形空間を形成している。挿入部材としては、菱形空間と同形状の菱形パネルＢp又は菱形フレームＢfがある。また、菱形空間を２分割した三角形と同形状の２つの三角形フレームＣを互いに接合して菱形とし、挿入してもよい。【００６５】
図３(ａ)〜(ｅ)はそれぞれ、ハニカムフレームとその内部構造の別の例を模式的に示した図である。各例では１つのフレームＡ1のみを示しているが、実際には複数のフレームＡ1がハニカムフレームを形成している。【００６６】
図３(ａ)は、３種類のフレームＡ1、Ａ2及びＡ3からなる六角形フレーム群を用いている。複数のフレームＡ2は、フレームＡ1の開口内でサブハニカムフレームを形成し、複数のフレームＡ3は、１つのフレームＡ2の開口内でサブハニカムフレームを形成している。【００６７】
図３(ｂ)〜(ｅ)は、２種類のフレームＡ1及びＡ2からなる六角形フレーム群を用いている。複数のフレームＡ2は、フレームＡ1の開口内でサブハニカムフレームを形成している。
図３(ａ)〜(ｅ)の各図には、大きさの１段階だけ異なる２つのフレーム同士の相似比を示している。これらの例では、相似比は、全て１より大きい整数値である。相似比が大きいほど細かい内部構造となる。【００６８】
図３(ａ)〜(ｅ)の各例では、フレームＡ1の６つの頂点位置のいずれにもフレームＡ2が配置されていない。その替わりに、フレームＡ1の１つの頂点を形成する２辺と、２つのフレームＡ2の各一辺とが菱形空間を形成している。図３(ａ)及び(ｃ)ではフレームＡ1の全ての頂点位置に菱形空間が形成され、図３(ｂ)(ｄ)(ｅ)ではフレームＡ1の１つおきの頂点位置に菱形空間が形成されている。これらの菱形空間には、挿入部材が配置され接合されている。これにより、頂点近傍の剛性を高めている。挿入部材としては、菱形空間と同形状の菱形パネルＢp又は菱形フレームＢfがある。また、菱形空間を２分割した三角形と同形状の２つの三角形フレームＣを互いに接合して菱形とし、挿入してもよい。【００６９】
図３(ａ)〜(ｅ)の各例においても、フレームＡ1とフレームＡ2の相似比が整数値であるので、フレームＡ2からなるサブハニカムフレームをフレームＡ1の開口内に整合させることができる。図３(ａ)〜(ｅ)の各例において、サブハニカムフレームを形成する複数のフレームＡ2（又はフレームＡ3）の一部を省いたものも、本発明の範囲に含まれる。【００７０】
図４(ａ)〜(ｃ)はそれぞれ、ハニカムフレームとその内部構造の別の例を模式的に示した図である。各例では１つのフレームＡ1のみを示しているが、実際には複数のフレームＡ1がハニカムフレームを形成している。【００７１】
図４(ａ)は、３種類のフレームＡ1、Ａ2及びＡ3からなる第１の六角形フレーム群と、３種類のフレームＡ1、Ａ2及びＡ4からなる第２の六角形フレーム群の２つの群を混在させて用いた例である。
第１の六角形フレーム群については、フレームＡ1内にフレームＡ2が配置され、フレームＡ2内にフレームＡ3が配置されている。一方、第２の六角形フレーム群については、フレームＡ1内にフレームＡ2が配置され、フレームＡ2内にフレームＡ4が配置されている。このように、異なる六角形フレーム群を混在させて用いてもよい。但し、異なる２つの群に含まれる全ての六角形フレームも、互いに相似形である。【００７２】
図４(ａ)では、フレームＡ1の頂点位置に形成された菱形空間に、サブ六角形フレームＡs1を挿入し接合している。また、フレームＡ2の頂点位置に形成された菱形空間にも、サブ六角形フレームＡs2を挿入し接合している。これらのサブ六角形フレームＡs1、Ａs2によっても頂点近傍の剛性が高められる。【００７３】
図４(ｂ)は、４種類のフレームＡ1、Ａ2、Ａ3及びＡ4からなる第１の六角形フレーム群と、３種類のフレームＡ1、Ａ2及びＡ3からなる第２の六角形フレーム群と、３種類のフレームＡ1、Ａ3及びＡ4からなる第３の六角形フレーム群の３つの群を混在させて用いた例である。
第１の六角形フレーム群については、フレームＡ1内にフレームＡ2が配置され、フレームＡ2内にフレームＡ3が配置され、フレームＡ3内にフレームＡ4が配置されている。第２の六角形フレーム群については、フレームＡ1内にフレームＡ2が配置され、フレームＡ2内にフレームＡ3が配置されている。そして、第３の六角形フレーム群については、フレームＡ1内にフレームＡ2が配置され、フレームＡ2内にフレームＡ4が配置されている。【００７４】
図４(ｂ)の例では、各フレーム群において、大きさの１段階だけ異なる２つのフレームの相似比が、整数値以外の１より大きい実数値となっている。従って、例えば、フレームＡ1の開口内に可能な限りフレームＡ2を充填しサブハニカムフレームを形成しても、開口に整合させることができない。しかしながら、２つのフレームの相似比が整数値以外の場合であっても、頂点位置で接合されることにより、その頂点近傍の剛性を高めることができる。【００７５】
図４(ｃ)は、３種類のフレームフレームＡ1、Ａ2及びＡ3からなる六角形フレーム群を用いた例である。フレームＡ1内にフレームＡ2が配置され、フレームＡ2内にフレームＡ3が配置されている。この例では、フレームＡ2の外周全体がフレームＡ1の内周全体に当接し互いに接合される。フレームＡ3とフレームＡ2も同様である。この例では、事実上、フレームＡ1の６つの辺を均等に太くしたことになり、フレームＡ1全体の剛性が高まる。【００７６】
次に、図５及び図６を参照して、本発明による建築構造体の別の一形態を説明する。
図５(ａ)は、本発明の建築構造体において面状に拡がる構造の一部のみを模式的に示した立面図である。図中の矢印で鉛直方向及び水平方向を示している。【００７７】
図５に示す形態においては、六角形フレームＡと、第１次三角形フレームＴ1、第２次三角形フレームＴ2、．．．、第ｋ−１次三角形フレームＴk-1、第ｋ次三角形フレームＴk、．．．及び第ｎ次三角形フレームＴnからなるｎ種類の三角形フレームとを用いて建築構造体が形成される。六角形フレームＡは、必須要素であり、基本構造となるハニカムフレームＨを形成する。
第１次〜第ｎ次三角形フレームについては、少なくとも第１次三角形フレームＴ1が存在する。従って、ｎは１以上のいずれかの整数である。原理的には、ｎは任意であるが、構造強度の必要性並びに配置の可能性を考慮して設定される。【００７８】
以下、説明の便宜上、「第ｋ次三角形フレームＴk」を「フレームＴk」と称する場合がある。【００７９】
第１次〜第ｎ次のｎ種類の三角形フレームＴ1〜Ｔnは、全て相似形である。フレームＴ1が最大であり、第２次、第３次．．．と高次のものほど段階的に小さくなる。さらに、第１次三角形フレームＴ1は、基本三角形Ｔ0に対して相似でその相似比が１より大きい整数値である。基本三角形Ｔ0は、六角形フレームＡの各辺(但し、内周における長さ)を１辺として六角形フレームＡを６分割した三角形である。【００８０】
図５（ｂ）は、基本三角形Ｔ0とフレームＴ1の相似比Ｉ0が、１より大きいいずれかの整数値であることを示す説明図である。併せて、大きさが１段階だけ異なるフレームＴk-1と、フレームＴkとの相似比Ｉk-1が、１より大きいいずれかの整数値であることを示す。但し、ｋは、２≦ｋ≦ｎの範囲の整数値である。図５(ａ)の例では、相似比Ｉ0を「２」と、相似比Ｉ1を「３」とし、それ以外の相似比Ｉk-1を全て「２」と設定している。
Ｉ1が「３」（ｋ＝２)の場合、フレームＴ１の一辺の長さはフレームＴ2のそれの３倍である。また、Ｉk-1(ｋ≧３)が「２」の場合、フレームＴk-1の一辺の長さはフレームＴkのそれの２倍である。
しかしながら、相似比Ｉ0及び各相似比Ｉk-1は、同じでなくともよい。例えば、Ｉ1を「２」とし、Ｉ2を「４」としてもよい。Ｉ2が「４」(ｋ＝３)の場合、フレームＴ2の一辺の長さはフレームＴ3のそれの４倍である。【００８１】
ここで、図５(ｃ)を参照して、相似比Ｉk-1について補足説明する。各三角形フレームは、線上構造部材から形成されたフレームであるから所定の長さ及び太さ(断面積)をもっている。フレームＴkはフレームＴk-1の開口内に配置される。この場合の相似比Ｉk-1は、フレームＴk-1の内周の一辺の長さＬk-1(in)と、フレームＴkの外周の一辺の長さＬk(out)の比の値として定義する。また、図示しないが、相似比Ｉ0は、基本三角形Ｔ0の一辺の長さと、フレームＴ1の外周の一辺の長さの比の値として定義する。【００８２】
本発明による建築構造体は、ハニカムフレームＨとその内部構造とを備えている。ハニカムフレームＨは、六角形フレームＡを複数用いて、これらをハニカム形状に接合したものである。図示しないが別の例として、ハニカムフレームを形成する各六角形フレームＡが隣り合う六角形フレームＡと１つの辺を共有して接合されていてもよい。ハニカムフレームは、鉛直方向に立設されている。ハニカムフレームＨに関しては、前述の図１の形態に関して説明した通りである。【００８３】
ハニカムフレームＨの内部には、フレームＴ1〜Ｔnが、それぞれ１又は複数配置される。つまり、ハニカムフレーム全体の中に、１又は複数のフレームＴ1と、１又は複数のフレームＴ2と、．．．、１又は複数のフレームＴnとが存在する。これらのフレームＴ1、Ｔ2、．．、Ｔnの各々は、いずれかの六角形フレームＡの開口内に配置されている。基本形態においては、六角形フレームＡ内に全てのフレームＴ1〜Ｔnが直接的に配置されているわけではない。【００８４】
本発明のハニカムフレームとその内部構造の基本形態においては、１つのフレームＴkは、１段階だけ寸法の大きいいずれかのフレームＴk-1の開口内に直接的に配置される。例えば、図５(ａ)に示すように、１つのフレームＴ1の開口内に１又は複数のフレームＴ2が直接的に配置され、１つのフレームＴ2の開口内に１又は複数のフレームＴ3が直接的に配置され、．．．そして１つのフレームＴn-1の開口内に１又は複数のフレームＴnが直接的に配置される。なお、１つの六角形フレームＡの開口内には、１又は複数のフレームＴ1が直接的に配置される。【００８５】
相似比Ｉ0が「２」であるので、１つの六角形フレームＡの開口内に最大２４個のフレームＴ1を配置可能である。また、相似比Ｉ1は「３」であるので、１つのフレームＴ1の開口内には最大９個のフレームＴ2を配置可能である。さらに、他の相似比Ｉk-1は「２」であるので、１つのフレームＴk-1の開口内には最大４個のフレームＴkを配置可能である。【００８６】
２つのフレームＴ1を接合すると菱形フレームとなる。六角形フレームＡの少なくとも１つの頂点位置には、２つのフレームＴ1から形成された菱形フレームが配置され接合される。また、少なくとも１つのフレームＴkがフレームＴk-1のいずれかの頂点に配置され接合される。これらの三角形フレーム同士は相似形であるから、頂点同士が隙間なく当接する。また、複数の３つのフレームＴk同士もトラス形状に接合され、サブトラスフレームを形成する。【００８７】
なお、全ての六角形フレームＡ及び全ての三角形フレームの各々の開口内に、それぞれ最大数のフレームを配置する必要はない。図５ではいずれの開口内にも最大数のフレームが配置されているが、部分的に省いてもよい。しかしながら、少なくとも２つのフレームＴ1が、必ず、六角形フレームＡのいずれかの頂点位置に配置され、また、少なくとも１つのフレームＴkが、必ず、フレームＴk-1のいずれかの頂点位置に配置され接合される。この結果、その頂点近傍の剛性を高めることができる。つまり、その頂点近傍の剛域が拡大されることになる。【００８８】
ハニカムフレームを構成するフレームＡの水平な辺の位置にスラブを設け、フレームＡとスラブの端部とを剛接合することが好適である。さらに、フレームＴ1〜Ｔnの水平な辺の位置にスラブを設けてもよい。また、フレームとは関係なく、任意の位置にスラブを設けてもよい。【００８９】
図６(ａ)〜(ｃ)はそれぞれ、ハニカムフレームとその内部構造の例を模式的に示した図である。各例では１つの六角形フレームＡのみを示しているが、実際には複数の六角形フレームＡがハニカムフレームを形成している。【００９０】
図６(ａ)〜(ｃ)の各例は、、六角形フレームＡと、１種類の三角形フレームＴ1を用いている。複数のフレームＴ1は、フレームＡの開口内でサブトラスフレームを形成している。【００９１】
図６(ａ)の例では、六角形フレームＡを６分割した基本三角形Ｔ0と、三角形フレームＴ1との相似比が「３」であり、図６(ｂ)の例では相似比が「４」である。これらの例では、相似比は、１より大きい整数値である。相似比が大きいほど細かい内部構造となる。【００９２】
図６(ｃ)の例では、六角形フレームＡの一部の頂点位置に菱形空間を形成し、菱形パネルＢp又は菱形フレームＢfを挿入し接合している。このように２つの三角形フレームを挿入部材と置換することができる。これにより、頂点近傍の剛性を調整することができる。【００９３】
図７(ａ)(ｂ)は、本発明におけるハニカムフレームの有利性を説明する図である。
図７(ａ)に示した六角形、四角形及び三角形は、面積Ｓが等しい。六角形は、ハニカムフレームの単位格子を、四角形は一般ラーメン構造の単位格子を、三角形は一般トラス構造の単位格子をイメージしたものである。符号ｄは辺部材の幅を示している。【００９４】
六角形の一辺、四角形の一辺及び三角形の一辺をそれぞれＬh、Ｌs、Ｌtとしたとき、次式の関係がある。
Ｓ＝６×(３１／２／４)×Ｌｈ２＝Ｌs２＝(３１／２／４)×Ｌt２
よって、Ｌs＝(３１／４)×(３／２)１／２×Ｌh≒１．６１Ｌh、
Ｌt＝６１／２×Ｌh≒２．４５Ｌh
上式から、同面積の場合の六角形、四角形及び三角形の一辺の比は、
Ｌh：Ｌs：Ｌt≒１：１．６１：２．４５
となる。つまり、六角形の一辺が最も短い。【００９５】
また、六角形、四角形及び三角形の全周長は、それぞれ６Ｌh、４Ｌs及び３Ｌtであるから、全周長の比は、
６Ｌh：４Ｌs：３Ｌt≒６：６．４５：７．３５
となる。全周長も六角形が最も短い。【００９６】
さらに、辺部材の断面積(ｄ×ｄ)が同じ場合のアスペクト比Ｌh／ｄ：Ｌs／ｄ：Ｌt／もまた、六角形が最も小さくなる。【００９７】
これら３つの形状は、いずれも平面を隙間なく充填できる形状である。従って、同じ断面積の線状部材で各形状のフレームを作製し、同じ面積を覆うように隙間なく配置した場合、六角形フレームが最も材料量が少ない。同時に、アスペクト比が最も小さいことは、最も強度を備えていることを意味する。【００９８】
図７(ｂ)は、ハニカムフレームに水平荷重を付加した場合の曲げモーメントの分布を示した図である。水平荷重は、例えば、地震力や風圧に相当する。単位格子の六角形の頂点において曲げモーメントが大きく、辺の中間点で最も小さくなっていることが分かる。本発明によれば、相対的に曲げモーメントの大きい頂点位置に構造部材を追加し接合することにより頂点近傍の剛性を高めることができる。また、曲げモーメントの大きさは、各頂点毎にも異なっている。本発明によれば、ハニカムフレームの内部構造を細かく設定することができるので、ハニカムフレームの各頂点毎に最適な剛性を付加することも可能である。
【実施例１】
【００９９】
図８は、本発明の一実施例であり、建築構造体のメインフレームの一部を模式的に示した立面図である。図の下方に、本実施例に用いた構造フレームを示している。本実施例では、六角形フレームＡ1、Ａ2及びＡ3からなる六角形フレーム群と、挿入部材であるサブ六角形フレームＡsを用いている。各フレームはいずれも正六角形であり、Ａ1とＡ2の相似比、Ａ2とＡ3の相似比はいずれも「２」である。【０１００】
フレームＡ1はハニカムフレームを構成している。フレームＡ1の六角形の上下の各辺が水平方向であり、他の４辺が鉛直方向に対して斜めに配置されている。上端から１列目及び２列目のフレームＡ1内には、フレームＡ2が配置されていない。（フレームＡ1の各列は、フレームＡ1の高さの１／２だけずれている。）上端から３列目のフレームＡ1内には、２つのフレームＡ2が配置されている。上端から４列目以下の全てのフレームＡ1内には、３つのフレームＡ2が配置されている。
上端から９列目のフレームＡ1においては、一部のフレームＡ2内に２つ又は３つのフレームＡ3が配置されている。上端から１０列目以下のフレームＡ1においては、全てのフレームＡ2内に３つのフレームＡ3が配置されている。
さらに、上端から６列目のフレームＡ1には２つのサブ六角形フレームＡsが菱形空間に挿入されている。上端から７列目以下の全てのフレームＡ1には３つのサブ六角形フレームＡsが菱形空間に挿入されている。【０１０１】
このように、ハニカムフレームにおいて相対的に下方に位置するフレームＡ1内に高次のフレームを密に配置し、上方に位置するフレームＡ1内には疎に配置することが好適である。上方部分においては、内部構造を全く設けず完全に開口としてもよい。高層建築物では、上部から下部に行くにしたがって一般的に応力が累積し大きくなる。そこで下方に行くほど内部構造を密とすることにより、下部の剛性と強度を高めることができる。内部構造における疎から密への調整は、段階的ではなく連続的に行うことができる。この調整は、鉛直方向のみでなく、必要に応じて水平方向においても行うことができる。以下の、実施例２及び３についても同様である。
【実施例２】
【０１０２】
図９は、本発明の別の実施例であり、建築構造体のメインフレームの一部を模式的に示した立面図である。図の下方に、本実施例に用いた構造フレームを示している。本実施例では、六角形フレームＡ1及びＡ2からなる六角形フレーム群と、挿入部材である菱形パネルＢpと、三角形フレームＣと、さらに線状部材Ｄとを用いている。六角形フレームはいずれも正六角形であり、Ａ1とＡ2の相似比は「２」である。【０１０３】
フレームＡ1はハニカムフレームを構成している。高さpt5以下の部分においては、全てのフレームＡ1内に最大数のフレームＡ2が配置されている。高さpt5の境界部分では変則的な配置が行われている。高さpt5より上部ではフレームＡ1に内部構造を設けていない。高さpt4とpt3の間では、頂点位置の菱形空間に線状部材Ｄが配置されて頂点を補強している。高さpt3とpt2の間では、頂点位置の菱形空間に２つの三角形フレームＣが配置されている。高さpt2と高さpt1の間では、頂点位置の菱形空間に菱形パネルＢpが配置されている。
【実施例３】
【０１０４】
図１０は、本発明のさらに別の実施例であり、建築構造体のメインフレームの一部を模式的に示した立面図である。図の下方に、本実施例に用いた構造フレームを示している。本実施例では、六角形フレームＡと、三角形フレームＴとを用いている。六角形フレームＡは正六角形であり、これを６分割した基本三角形に対する三角形フレームＴの相似比は「２」である。【０１０５】
最下部の２列のフレームＡ内には、最大数のフレームＴが配置され、サブトラスフレームを形成している。一方、最上部の２列のフレームＡ内には、フレームＴは全く配置されていない。中間部分においては、フレームＡ内に配置するフレームＴの数を漸次変化させ、上方から下方に行くに従って密となるように配置している。フレームＴは、最少でも２つ配置され、２つを接合して菱形を形成し、フレームＡの１つの頂点位置に配置接合される。
【実施例４】
【０１０６】
図１１は、本発明のさらに別の実施例であり、建築構造体のメインフレームの一部を模式的に示した立面図である。本実施例では、六角形フレームＡ1の向きが上述の各実施例と異なっている。本実施例では、六角形フレームＡ1の左右の各辺が鉛直方向であり、他の４辺が水平方向に対して斜めに配置されている。従って、六角形フレームＡ2、Ａ3も同じ向きとなる。
【実施例５】
【０１０７】
図示しないが、本発明のさらに別の実施例では、上述した本発明の建築構造体におけるハニカムフレームの種々の内部構造（具体的には１つの(第１次)六角形フレーム内の種々の内部構造）を、２又はそれ以上組合せて、１つのハニカムフレーム内に混在させてもよい。
【実施例６】
【０１０８】
上述の実施例は、全て一層のハニカムフレームに関する構造であったが、本発明のさらに別の実施例では、上述したいずれかの内部構造を含むハニカムフレームを、複数層設けてもよい（図示せず）。それら複数層のハニカムフレームは、互いに所定の間隔を空けて立設される。例えば、外周チューブ架構と内周チューブ架構の２層を有する建築構造体の場合、それぞれの層を上述のいずれかのハニカムフレームとする。この場合も、各ハニカムフレームの内部構造は、２又はそれ以上の種類のものを組合わせて混在させてもよい。また、複数のハニカムフレームの各層間を梁又はスラブにより連結してもよい。
【図面の簡単な説明】
【０１０９】
【図１】(ａ)は、本発明の建築構造体において面状に拡がる構造の一部のみを模式的に示した図である。（ｂ）は、相似比Ｉ0及び相似比Ｉk-1が、１より大きいいずれかの整数値であることを示す説明図である。(ｃ)は相似比Ｉk-1の説明図である。
【図２】(ａ)〜(ｆ)はそれぞれ、ハニカムフレームとその内部構造の例を模式的に示した図である。
【図３】(ａ)〜(ｅ)はそれぞれ、ハニカムフレームとその内部構造の別の例を模式的に示した図である。
【図４】(ａ)〜(ｃ)はそれぞれ、ハニカムフレームとその内部構造の別の例を模式的に示した図である。
【図５】(ａ)は、本発明の建築構造体において面状に拡がる構造の一部のみを模式的に示した図である。（ｂ）は、相似比Ｉ0及び相似比Ｉk-1が、１より大きいいずれかの整数値であることを示す説明図である。(ｃ)は相似比Ｉk-1の説明図である。
【図６】(ａ)〜(ｃ)はそれぞれ、ハニカムフレームとその内部構造の例を模式的に示した図である。
【図７】(ａ)(ｂ)は、本発明におけるハニカムフレームの有利性を説明する図である。
【図８】本発明の一実施例であり、建築構造体のメインフレームの一部を模式的に示した立面図である。
【図９】本発明の別の実施例であり、建築構造体のメインフレームの一部を模式的に示した立面図である。
【図１０】本発明のさらに別の実施例であり、建築構造体のメインフレームの一部を模式的に示した立面図である。
【図１１】本発明のさらに別の実施例であり、建築構造体のメインフレームの一部を模式的に示した立面図である。
【符号の説明】
【０１１０】
Ａ  六角形フレーム
Ａ1〜Ａn  第１次〜第ｎ次六角形フレーム
Ａs、Ａs1、Ａs2  サブ六角形フレーム
Ｂp  菱形パネル
Ｂf  菱形フレーム
Ｃ  三角形フレーム
Ｄ  線状部材
Ｉ0、Ｉk  相似比
Ｔ0  基本三角形
Ｔ1〜Ｔn  第１次〜第ｎ次三角形フレーム
【図１】
2008139582.tif 000003
【図２】
2008139582.tif 000004
【図３】
2008139582.tif 000005
【図４】
2008139582.tif 000006
【図５】
2008139582.tif 000007
【図６】
2008139582.tif 000008
【図７】
2008139582.tif 000009
【図８】
2008139582.tif 000010
【図９】
2008139582.tif 000011
【図１０】
2008139582.tif 000012
【図１１】
2008139582.tif 000013
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
各々が線状構造部材で形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が１より大きい整数値である六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜第ｎ次六角形フレームがそれぞれ１又は複数配置され、
（ｃ）各前記第ｋ次六角形フレームがいずれかの前記第ｋ−１次六角形フレームの開口内に配置され、かつ該第ｋ次六角形フレームのうち少なくとも１つは該第ｋ−１次六角形フレームのいずれかの頂点位置に配置されて該第ｋ−１次六角形フレームと接合されていることを特徴とする建築構造体。
【請求項２】
前記第ｋ−１次六角形フレームのいずれかの頂点を形成する２辺とその開口内に配置された２つの前記第ｋ次六角形フレームの各１辺とにより菱形空間が形成される場合に、該菱形空間に挿入され接合された挿入部材をさらに備えたことを特徴とする請求項１に記載の建築構造体。
【請求項３】
前記挿入部材が、菱形フレーム、菱形パネル、２つの同形状の三角形フレーム及びサブ六角形フレームを含む群から選択されたいずれかであることを特徴とする請求項２に記載の建築構造体。
【請求項４】
各々が線状構造部材で形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が１より大きい整数値である六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜第ｎ次六角形フレームがそれぞれ１又は複数配置され、
（ｃ）２又はそれ以上の前記第ｋ次六角形フレームがいずれかの前記第ｋ−１次六角形フレームの開口内に配置され、かつ該第ｋ−１次六角形フレームのいずれかの頂点を形成する２辺と少なくとも２つの該第ｋ次六角形フレームの各一辺とにより菱形空間が形成され、
（ｄ）前記菱形空間に挿入され接合された挿入部材をさらに備えたことを特徴とする建築構造体。
【請求項５】
前記挿入部材が、菱形フレーム、菱形パネル、２つの同形状の三角形フレーム及びサブ六角形フレームを含む群から選択されたいずれかであることを特徴とする請求項４に記載の建築構造体。
【請求項６】
各々が線状構造部材で形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が整数値以外の１より大きい実数値である六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜第ｎ次六角形フレームがそれぞれ１又は複数配置され、
（ｃ）各前記第ｋ次六角形フレームがいずれかの前記第ｋ−１次六角形フレームの開口内に配置され、かつ該第ｋ次六角形フレームのうち少なくとも１つは該第ｋ−１次六角形フレームのいずれかの頂点位置に配置されて該第ｋ−１次六角形フレームと接合されていることを特徴とする建築構造体。
【請求項７】
各々が線状構造部材で形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が整数値以外の１より大きい実数値である、六角形フレーム群を用いて形成された建築構造体であって、
（ａ）複数の前記第１次六角形フレームをハニカム形状に接合し鉛直方向に立設したハニカムフレームを備え、
（ｂ）前記ハニカムフレーム内に前記第２次〜前記ｎ次六角形フレームが１又は複数配置され、
（ｃ）各前記第ｋ次六角形フレームがいずれかの前記第ｋ−１次六角形フレームの開口内に配置され、かつ該第ｋ次六角形フレームの外周全体が該第ｋ−１次六角形フレームの内周全体に当接し互いに接合されていることを特徴とする建築構造体。
【請求項８】
線状構造部材で形成された六角形フレームと、線状構造部材で形成されかつ該六角形フレームの各辺を１辺として該六角形フレームを６分割した基本三角形に対する相似比が１より大きい整数値である三角形フレームとを用いて形成された建築構造体であって、
（ａ）複数の前記六角形フレームをハニカム形状に接合し鉛直方向に立設したハニカムフレームを備え、
（ｂ）２又はそれ以上の前記三角形フレームがいずれかの前記六角形フレームの開口内に配置され、かつ少なくとも２つの該三角形フレームが該六角形フレームのいずれかの頂点位置に配置されて該六角形フレームと接合されていることを特徴とする建築構造体。
【請求項９】
線状構造部材で形成された六角形フレームと、各々が線状構造部材で形成された第１次、第２次、．．．、第ｋ−１次、第ｋ次、．．．及び第ｎ次三角形フレーム（２≦ｋ≦ｎ、ｎは２以上のいずれかの整数）からなる三角形フレーム群とを用いて形成された建築構造体であって、
（ａ）前記第１次三角形フレームは前記六角形フレームの各辺を１辺として該六角形フレームを６分割した基本三角形に対する相似比が１より大きい整数値であり、かつ前記第ｋ−１次三角形フレームと前記第ｋ次三角形フレームとの相似比が１より大きい整数値であり、
（ｂ）複数の前記六角形フレームをハニカム形状に接合し鉛直方向に立設したハニカムフレームを備え、
（ｃ）前記ハニカムフレーム内に前記第１次三角形フレームが２又はそれ以上配置され、かつ前記第２次〜第ｎ次三角形フレームがそれぞれ１又は複数配置され、
（ｄ）２又はそれ以上の前記第１次三角形フレームがいずれかの前記六角形フレームの開口内に配置され、かつ少なくとも２つの該第１次三角形フレームが該六角形フレームのいずれかの頂点位置に配置されて該六角形フレームと接合されており、
（ｅ）１又は複数の前記第ｋ次三角形フレームがいずれかの前記第ｋ−１次三角形フレームの開口内に配置され、かつ少なくとも１つの該第ｋ次三角形フレームが該第ｋ−１次三角形フレームのいずれかの頂点位置に配置されて該第ｋ−１次三角形フレームと接合されていることを特徴とする建築構造体。
【請求項１０】
前記ハニカムフレーム内に前記第２次〜第ｎ次六角形フレームが配置される場合に、相対的に下方に位置する前記第１次六角形フレームの開口内に配置された高次の前記六角形フレームの数が、相対的に上方に位置する前記第１次六角形フレームの開口内に配置されたそれらよりも多いことを特徴とする請求項１〜７のいずれかに記載の建築構造体。
【請求項１１】
前記ハニカムフレームを形成する複数の前記第１次六角形フレームの少なくとも一部が、その開口内に高次の前記六角形フレームを配置しないことを特徴とする請求項１〜７のいずれかに記載の建築構造体。
【請求項１２】
前記ハニカムフレーム内に前記第１次〜第ｎ次三角形フレームが配置される場合に、相対的に下方に位置する前記六角形フレームの開口内に配置された三角形フレームの数が、相対的に上方に位置する前記六角形フレームの開口内に配置されたそれらよりも多いことを特徴とする請求項８又は９に記載の建築構造体。
【請求項１３】
前記ハニカムフレームを形成する複数の前記六角形フレームの少なくとも一部が、その開口内に三角形フレームを配置しないことを特徴とする請求項８又は９のいずれかに記載の建築構造体。
【請求項１４】
前記ハニカムフレームを形成する複数の前記六角形フレームの各々が、隣り合う六角形フレームと一辺を共有することを特徴とする請求項１〜９のいずれかに記載の建築構造体。
【請求項１５】
前記ハニカムフレームを形成する複数の前記六角形フレームの各々が、隣り合う六角形フレームと互いの一辺と一辺とを接合させることを特徴とする請求項１〜９のいずれかに記載の建築構造体。
【請求項１６】
請求項１〜９のいずれかの建築構造体における前記ハニカムフレーム及びその内部構造を、２種又はそれ以上、部分的に混在させて形成したことを特徴とする建築構造体。
【請求項１７】
前記ハニカムフレームを形成する複数の前記六角形フレームの各々が、各頂点において剛接合されていることを特徴とする請求項１〜９のいずれかに記載の建築構造体。
【手続補正２】
【補正対象書類名】明細書
【補正対象項目名】００１０
【補正方法】変更
【補正の内容】
【００１０】
（１）本発明による建築構造体の一形態（請求項１〜３）は、各々が線状構造部材で形成された第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。この形態では、第ｋ−１次六角形フレームと第ｋ次六角形フレームの相似比は、１より大きい整数である（但し、２≦ｋ≦ｎ）。例えば、第１次六角形フレームの一辺の長さを「１０（任意の単位）」とした場合、第２次六角形フレームの一辺の長さを「５」とすると相似比は「２」である。第２次六角形フレームの一辺の長さを「１０／３」とすると相似比は「３」である。
また、建築構造体を形成するために、少なくとも２種類の大きさの異なる六角形フレームを用いる（すなわち、ｎは２以上の整数）。つまり、少なくとも第１次と第２次の六角形フレームを用いる。
さらに、最大である第１次六角形フレームは、複数個用いられる。複数個の第１次六角形フレームは、ハニカム形状に接合され鉛直方向に立設されたハニカムフレームを形成する。
第２次〜第ｎ次六角形フレームは、それぞれ１又は複数個用いられる。第２次〜第ｎ次六角形フレームの各々は、ハニカムフレームの内部に配置される。つまり、第２次〜第ｎ次六角形フレームの各々は、いずれかの第１次六角形フレームの開口内に配置されることにより、ハニカムフレームの面内に収容されている。
さらに、１つの第ｋ次六角形フレームに着目すると、第ｋ次六角形フレームはいずれかの第ｋ−１次六角形フレームの開口内に配置されている。第ｋ−１次六角形フレームは、第ｋ次六角形フレームより１段階だけ大きいフレームである。基本的には、いずれの六角形フレームも必ず、自身よりも１段階大きい六角形フレーム内に直接配置され、２段階以上大きい六角形フレーム内に直接配置されることはない（以下の形態においても同様）。
そして、第ｋ−１次六角形フレーム内に１又は複数の第ｋ次六角形フレームが配置された場合、少なくとも１つの第ｋ次六角形フレームは、第ｋ−１次六角形フレームの６個の頂点のうちいずれかの頂点位置に配置されて第ｋ−１次六角形フレームと接合されている。第ｋ次六角形フレームと第ｋ−１次六角形フレームは相似であるから、頂点位置において前者の外周と後者の内周とは隙間なく当接する。
【手続補正３】
【補正対象書類名】明細書
【補正対象項目名】００１３
【補正方法】変更
【補正の内容】
【００１３】
（３）本発明による建築構造体のさらに別の形態（請求項６）は、各々が線状構造部材で形成された第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。上述した最初の形態と異なりこの形態では、第ｋ−１次六角形フレームと第ｋ次六角形フレームの相似比は、整数値以外の１より大きい実数値である。例えば、第１次六角形フレームの一辺の長さを「１０」とした場合、第２次六角形フレームの一辺の長さを「８」とすると相似比は「１．２５」であり、第２次六角形フレームの一辺の長さを「４」とすると相似比は「２．５」である。この点を除く他の構成は、複数の第１次六角形フレームがハニカムフレームを形成することを含め、上述の最初の形態と同様である。
【手続補正４】
【補正対象書類名】明細書
【補正対象項目名】００１４
【補正方法】変更
【補正の内容】
【００１４】
（４）本発明による建築構造体のさらに別の形態（請求項７）は、各々が線状構造部材で形成された第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。上述の最初の形態と異なりこの形態では、第ｋ−１次六角形フレームと第ｋ次六角形フレームの相似比は、整数値以外の１より大きい実数値である。複数の第１次六角形フレームがハニカムフレームを形成する。さらに、この形態では、第ｋ次六角形フレームが第ｋ−１次六角形フレームの開口内に配置される場合に、第ｋ次六角形フレームの外周全体が第ｋ−１次六角形フレームの内周全体に当接し互いに接合される。つまり、１つの第ｋ−１次六角形フレームの開口内に第ｋ次六角形フレームが１つだけ配置される。
【手続補正５】
【補正対象書類名】明細書
【補正対象項目名】００１５
【補正方法】変更
【補正の内容】
【００１５】
（５）本発明による建築構造体のさらに別の形態（請求項８）は、線状構造部材で形成された六角形フレームと、線状構造部材で形成された１種類の三角形フレームとを用いて形成される。三角形フレームは、六角形フレームの各辺を１辺としてこの六角形フレームを６分割した基本三角形と相似形であり、その相似比は１より大きい整数値である。例えば、六角形フレームの一辺の長さを「１０」とすると基本三角形の一辺の長さも「１０」であり、三角形フレームの一辺の長さを「５」とすると相似比は「２」である。
六角形フレームは複数個用いられ、これらの複数の六角形フレームはハニカム形状に接合され鉛直方向に立設されたハニカムフレームを形成する。
三角形フレームは２又はそれ以上用いられる。それらのうち少なくとも２つの三角形フレームは、いずれかの六角形フレームの開口内において、その六角形フレームのいずれかの頂点位置に配置される。そしてこれら２つの三角形フレームと六角形フレームとが接合される。これら２つの三角形フレームは菱形を形成するので、六角形フレームの頂点を形成する２辺と隙間なく当接する。
【手続補正６】
【補正対象書類名】明細書
【補正対象項目名】００１６
【補正方法】変更
【補正の内容】
【００１６】
（６）本発明による建築構造体のさらに別の形態（請求項９）は、線状構造部材で形成された六角形フレームと、各々が線状構造部材で形成された第１次、第２次、．．．、第ｋ−１次、第ｋ次、．．．及び第ｎ次三角形フレームからなる三角形フレーム群とを用いて形成される。三角形フレーム群は、互いに相似で大きさの異なるｎ種類の三角形フレームからなり、高次のものほど小さくなる。この形態では、少なくとも２種類（すなわち第１次と第２次）の三角形フレームを用いる。第１次三角形フレームは、六角形フレームの各辺を１辺としてこの六角形フレームを６分割した基本三角形と相似であり、その相似比は１より大きい整数値である。例えば、六角形フレームの一辺の長さを「１０」とすると基本三角形の一辺の長さも「１０」であり、第１次三角形フレームの一辺の長さを「５」とすると相似比は「２」である。第ｋ−１次三角形フレームと第ｋ次三角形フレームの相似比も１より大きい整数値である（但し、２≦ｋ≦ｎ）。例えば、第１次三角形フレームの一辺の長さを「１０」、第２次三角形フレームの一辺の長さを「１０／３」とすると相似比は「３」である。
六角形フレームは複数個用いられ、これらの複数の六角形フレームはハニカム形状に接合され鉛直方向に立設されたハニカムフレームを形成する。
第１次三角形フレームは２又はそれ以上、第２次〜第ｎ次三角形フレームはそれぞれ１又は複数用いられる。これらの第１次〜第ｎ次三角形フレームの各々は、ハニカムフレームの内部に配置される。つまり、第１次〜第ｎ次三角形フレームの各々は、いずれかの六角形フレームの開口内に配置されることにより、ハニカムフレームの面内に収容されている。
さらに、２又はそれ以上の第１次三角形フレームがいずれかの六角形フレームの開口内に配置される。それらのうちの少なくとも２つが六角形フレームのいずれかの頂点位置に配置され接合されている。これら２つの第１次三角形フレームは菱形を形成するので、六角形フレームの頂点を形成する２辺と隙間なく当接する。
またさらに、１又は複数の第ｋ次三角形フレームが、いずれかの第ｋ−１次三角形フレームの開口内に配置される。それらのうちの少なくとも１つの第ｋ次三角形フレームが第ｋ−１次三角形フレームのいずれかの頂点位置に配置されて該第ｋ−１次三角形フレームと接合されている。第ｋ−１次三角形フレームは、第ｋ次三角形フレームより１段階だけ大きいフレームである。第ｋ次三角形フレームと第ｋ−１次三角形フレームとは相似であるので、頂点位置において前者の外周が後者の内周に隙間なく当接する。基本的には、第２次より高次の三角形フレームは、必ず、自身よりも１段階だけ大きい三角形フレーム内に直接配置され、２段階以上大きい三角形フレーム内に直接配置されることはない。
【手続補正７】
【補正対象書類名】明細書
【補正対象項目名】００４６
【補正方法】変更
【補正の内容】
【００４６】
ここで、図１(ｃ)を参照して、相似比Ｉk-1について補足説明する。各六角形フレームは、線状構造部材から形成されたフレームであるから所定の長さ及び太さ(断面積)をもっている。フレームＡkはフレームＡk-1の開口内に配置される。この場合の相似比Ｉk-1を、フレームＡk-1の内周の一辺の長さＬk-1(in)と、フレームＡkの外周の一辺の長さＬk(out)の比の値として定義する。
【手続補正８】
【補正対象書類名】明細書
【補正対象項目名】００８１
【補正方法】変更
【補正の内容】
【００８１】
ここで、図５(ｃ)を参照して、相似比Ｉk-1について補足説明する。各三角形フレームは、線状構造部材から形成されたフレームであるから所定の長さ及び太さ(断面積)をもっている。フレームＴkはフレームＴk-1の開口内に配置される。この場合の相似比Ｉk-1は、フレームＴk-1の内周の一辺の長さＬk-1(in)と、フレームＴkの外周の一辺の長さＬk(out)の比の値として定義する。また、図示しないが、相似比Ｉ0は、基本三角形Ｔ0の一辺の長さと、フレームＴ1の外周の一辺の長さの比の値として定義する。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
線状構造部材を六角形の各辺に配置して各々形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が１より大きい整数値である六角形フレーム群を用いて形成された建築構造体であって、
（ａ）複数の前記第１次六角形フレームを、二次元的拡がりをもつハニカム形状に剛接合し鉛直方向に立設した基本構造としてのハニカムフレームを備え、
（ｂ）前記ハニカムフレーム内に補強構造としての前記第２次〜第ｎ次六角形フレームがそれぞれ１又は複数配置され、
（ｃ）各前記第ｋ次六角形フレームがいずれかの前記第ｋ−１次六角形フレームの開口内に配置され、かつ該第ｋ次六角形フレームのうち少なくとも１つは、頂点の剛域拡大のために該第ｋ−１次六角形フレームのいずれかの頂点位置に配置されて該第ｋ−１次六角形フレームと剛接合されていることを特徴とする建築構造体。
【請求項２】
前記第ｋ−１次六角形フレームのいずれかの頂点を形成する２辺とその開口内に配置された２つの前記第ｋ次六角形フレームの各１辺とにより菱形空間が形成される場合に、該菱形空間に挿入され剛接合された補強構造としての挿入部材をさらに備えたことを特徴とする請求項１に記載の建築構造体。
【請求項３】
前記挿入部材が、菱形フレーム、菱形パネル、２つの同形状の三角形フレーム及びサブ六角形フレームを含む群から選択されたいずれかであることを特徴とする請求項２に記載の建築構造体。
【請求項４】
線状構造部材を六角形の各辺に配置して各々形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が１より大きい整数値である六角形フレーム群を用いて形成された建築構造体であって、
（ａ）複数の前記第１次六角形フレームを、二次元的拡がりをもつハニカム形状に剛接合し鉛直方向に立設した基本構造としてのハニカムフレームを備え、
（ｂ）前記ハニカムフレーム内に補強構造としての前記第２次〜第ｎ次六角形フレームがそれぞれ１又は複数配置され、
（ｃ）２又はそれ以上の前記第ｋ次六角形フレームがいずれかの前記第ｋ−１次六角形フレームの開口内に配置され、かつ該第ｋ−１次六角形フレームのいずれかの頂点を形成する２辺と少なくとも２つの該第ｋ次六角形フレームの各一辺とにより菱形空間が形成され、
（ｄ）頂点の剛域拡大のために前記菱形空間に挿入されて前記第ｋ−１次六角形フレームと剛接合された補強構造としての挿入部材をさらに備えたことを特徴とする建築構造体。
【請求項５】
前記挿入部材が、菱形フレーム、菱形パネル、２つの同形状の三角形フレーム及びサブ六角形フレームを含む群から選択されたいずれかであることを特徴とする請求項４に記載の建築構造体。
【請求項６】
線状構造部材を六角形の各辺に配置して各々形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が整数値以外の１より大きい実数値である六角形フレーム群を用いて形成されたメインフレームを、鉛直方向に立設した建築構造体であって、
（ａ）複数の前記第１次六角形フレームを、二次元的拡がりをもつハニカム形状に剛接合し鉛直方向に立設した基本構造としてのハニカムフレームを備え、
（ｂ）前記ハニカムフレーム内に補強構造としての前記第２次〜第ｎ次六角形フレームがそれぞれ１又は複数配置され、
（ｃ）各前記第ｋ次六角形フレームがいずれかの前記第ｋ−１次六角形フレームの開口内に配置され、かつ該第ｋ次六角形フレームのうち少なくとも１つは、頂点の剛域拡大のために該第ｋ−１次六角形フレームのいずれかの頂点位置に配置されて該第ｋ−１次六角形フレームと剛接合されていることを特徴とする建築構造体。
【請求項７】
線状構造部材を六角形の各辺に配置して各々形成された第１次、第２次、．．．、第ｋ−１次、第ｋ次、．．．及び第ｎ次六角形フレーム（２≦ｋ≦ｎ、ｎは２以上のいずれかの整数）からなり前記第ｋ−１次六角形フレームと前記第ｋ次六角形フレームとの相似比が整数値以外の１より大きい実数値である六角形フレーム群を用いて形成された建築構造体であって、
（ａ）複数の前記第１次六角形フレームを、二次元的拡がりをもつハニカム形状に剛接合し鉛直方向に立設した基本構造としてのハニカムフレームを備え、
（ｂ）前記ハニカムフレーム内に補強構造としての前記第２次〜前記ｎ次六角形フレームが１又は複数配置され、
（ｃ）各前記第ｋ次六角形フレームがいずれかの前記第ｋ−１次六角形フレームの開口内に配置され、かつ、頂点の剛域拡大のために該第ｋ次六角形フレームの外周全体が該第ｋ−１次六角形フレームの内周全体に当接し互いに剛接合されていることを特徴とする建築構造体。
【請求項８】
線状構造部材を六角形の各辺に配置して形成された六角形フレームと、線状構造部材を三角形の各辺に配置して形成されかつ該六角形フレームの各辺を１辺として該六角形フレームを６分割した基本三角形に対する相似比が１より大きい整数値である三角形フレームとを用いて形成された建築構造体であって、
（ａ）複数の前記六角形フレームを、二次元的拡がりをもつハニカム形状に剛接合し鉛直方向に立設した基本構造としてのハニカムフレームを備え、
（ｂ）２又はそれ以上の前記三角形フレームがいずれかの前記六角形フレームの開口内に補強構造としての配置され、かつ少なくとも２つの該三角形フレームが、頂点の剛域拡大のために該六角形フレームのいずれかの頂点位置に配置されて該六角形フレームと剛接合されていることを特徴とする建築構造体。
【請求項９】
線状構造部材を六角形の各辺に配置して形成された六角形フレームと、線状構造部材を三角形の各辺に配置して各々形成された第１次、第２次、．．．、第ｋ−１次、第ｋ次、．．．及び第ｎ次三角形フレーム（２≦ｋ≦ｎ、ｎは２以上のいずれかの整数）からなる三角形フレーム群とを用いて形成された建築構造体であって、
（ａ）前記第１次三角形フレームは前記六角形フレームの各辺を１辺として該六角形フレームを６分割した基本三角形に対する相似比が１より大きい整数値であり、かつ前記第ｋ−１次三角形フレームと前記第ｋ次三角形フレームとの相似比が１より大きい整数値であり、
（ｂ）複数の前記六角形フレームを、二次元的拡がりをもつハニカム形状に剛接合し鉛直方向に立設した基本構造としてのハニカムフレームを備え、
（ｃ）前記ハニカムフレーム内に前記第１次三角形フレームが２又はそれ以上配置され、かつ前記第２次〜第ｎ次三角形フレームがそれぞれ１又は複数配置され、
（ｄ）２又はそれ以上の前記第１次三角形フレームがいずれかの前記六角形フレームの開口内に補強構造として配置され、かつ少なくとも２つの該第１次三角形フレームが該六角形フレームのいずれかの頂点位置に配置されて該六角形フレームと剛接合されており、
（ｅ）１又は複数の前記第ｋ次三角形フレームがいずれかの前記第ｋ−１次三角形フレームの開口内に補強構造として配置され、かつ少なくとも１つの該第ｋ次三角形フレームが、頂点の剛域拡大のために該第ｋ−１次三角形フレームのいずれかの頂点位置に配置されて該第ｋ−１次三角形フレームと剛接合されていることを特徴とする建築構造体。
【請求項１０】
前記ハニカムフレーム内に前記第２次〜第ｎ次六角形フレームが配置される場合に、相対的に下方に位置する前記第１次六角形フレームの開口内に配置された高次の前記六角形フレームの数が、相対的に上方に位置する前記第１次六角形フレームの開口内に配置されたそれらよりも多いことを特徴とする請求項１〜７のいずれかに記載の建築構造体。
【請求項１１】
前記ハニカムフレームを形成する複数の前記第１次六角形フレームの少なくとも一部が、その開口内に高次の前記六角形フレームを配置しないことを特徴とする請求項１〜７のいずれかに記載の建築構造体。
【請求項１２】
前記ハニカムフレーム内に前記第１次〜第ｎ次三角形フレームが配置される場合に、相対的に下方に位置する前記六角形フレームの開口内に配置された三角形フレームの数が、相対的に上方に位置する前記六角形フレームの開口内に配置されたそれらよりも多いことを特徴とする請求項８又は９に記載の建築構造体。
【請求項１３】
前記ハニカムフレームを形成する複数の前記六角形フレームの少なくとも一部が、その開口内に三角形フレームを配置しないことを特徴とする請求項８又は９のいずれかに記載の建築構造体。
【請求項１４】
前記ハニカムフレームを形成する複数の前記六角形フレームの各々が、隣り合う六角形フレームと一辺を共有することを特徴とする請求項１〜９のいずれかに記載の建築構造体。
【請求項１５】
前記ハニカムフレームを形成する複数の前記六角形フレームの各々が、隣り合う六角形フレームと互いの一辺と一辺とを剛接合させることを特徴とする請求項１〜９のいずれかに記載の建築構造体。
【請求項１６】
請求項１〜９のいずれかの建築構造体における前記ハニカムフレーム及びその内部構造を、２種又はそれ以上、部分的に混在させて形成したことを特徴とする建築構造体。
【手続補正２】
【補正対象書類名】明細書
【補正対象項目名】００１０
【補正方法】変更
【補正の内容】
【００１０】
（１）本発明による建築構造体の一形態（請求項１〜３）は、線状構造部材を六角形の各辺に配置して各々形成された第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。この形態では、第ｋ−１次六角形フレームと第ｋ次六角形フレームの相似比は、１より大きい整数である（但し、２≦ｋ≦ｎ）。例えば、第１次六角形フレームの一辺の長さを「１０（任意の単位）」とした場合、第２次六角形フレームの一辺の長さを「５」とすると相似比は「２」である。第２次六角形フレームの一辺の長さを「１０／３」とすると相似比は「３」である。
また、建築構造体を形成するために、少なくとも２種類の大きさの異なる六角形フレームを用いる（すなわち、ｎは２以上の整数）。つまり、少なくとも第１次と第２次の六角形フレームを用いる。
さらに、最大である第１次六角形フレームは、複数個用いられる。複数個の第１次六角形フレームは、二次元的拡がりをもつハニカム形状に剛接合し鉛直方向に立設したハニカム形状に剛接合され鉛直方向に立設された基本構造としてのハニカムフレームを形成する。
第２次〜第ｎ次六角形フレームは、それぞれ１又は複数個用いられる。第２次〜第ｎ次六角形フレームの各々は、補強構造としてハニカムフレームの内部に配置される。つまり、第２次〜第ｎ次六角形フレームの各々は、いずれかの第１次六角形フレームの開口内に配置されることにより、ハニカムフレームの面内に収容されている。
さらに、１つの第ｋ次六角形フレームに着目すると、第ｋ次六角形フレームはいずれかの第ｋ−１次六角形フレームの開口内に配置されている。第ｋ−１次六角形フレームは、第ｋ次六角形フレームより１段階だけ大きいフレームである。基本的には、いずれの六角形フレームも必ず、自身よりも１段階大きい六角形フレーム内に直接配置され、２段階以上大きい六角形フレーム内に直接配置されることはない（以下の形態においても同様）。
そして、第ｋ−１次六角形フレーム内に１又は複数の第ｋ次六角形フレームが配置された場合、少なくとも１つの第ｋ次六角形フレームは、頂点の剛域を拡大のために第ｋ−１次六角形フレームの６個の頂点のうちいずれかの頂点位置に配置されて第ｋ−１次六角形フレームと剛接合されている。第ｋ次六角形フレームと第ｋ−１次六角形フレームは相似であるから、頂点位置において前者の外周と後者の内周とは隙間なく当接する。
【手続補正３】
【補正対象書類名】明細書
【補正対象項目名】００１３
【補正方法】変更
【補正の内容】
【００１３】
（３）本発明による建築構造体のさらに別の形態（請求項６）は、線状構造部材を六角形の各辺に配置して各々形成された第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。上述した最初の形態と異なりこの形態では、第ｋ−１次六角形フレームと第ｋ次六角形フレームの相似比は、整数値以外の１より大きい実数値である。例えば、第１次六角形フレームの一辺の長さを「１０」とした場合、第２次六角形フレームの一辺の長さを「８」とすると相似比は「１．２５」であり、第２次六角形フレームの一辺の長さを「４」とすると相似比は「２．５」である。この点を除く他の構成は、複数の第１次六角形フレームが、二次元的拡がりをもつ基本構造としてのハニカムフレームを形成することを含め、上述の最初の形態と同様である。
【手続補正４】
【補正対象書類名】明細書
【補正対象項目名】００１４
【補正方法】変更
【補正の内容】
【００１４】
（４）本発明による建築構造体のさらに別の形態（請求項７）は、線状構造部材を六角形の各辺に配置して各々形成された第１次、第２次、．．．、第ｋ−１次、第ｋ次、．．．及び第ｎ次六角形フレームからなるｎ種類の互いに大きさの異なる六角形フレーム群を用いて形成される。六角形フレーム群に含まれるｎ種類の六角形フレームの各々は、互いに相似形である。第１次六角形フレームが最大の大きさをもち、第２次、第３次．．．と高次になるにつれて小さくなる。上述の最初の形態と異なりこの形態では、第ｋ−１次六角形フレームと第ｋ次六角形フレームの相似比は、整数値以外の１より大きい実数値である。複数の第１次六角形フレームが、二次元的拡がりをもつ剛接合された基本構造としてのハニカムフレームを形成する。さらに、この形態では、第ｋ次六角形フレームが第ｋ−１次六角形フレームの開口内に配置される場合に、頂点の剛域拡大のために、第ｋ次六角形フレームの外周全体が第ｋ−１次六角形フレームの内周全体に当接し互いに剛接合される。つまり、１つの第ｋ−１次六角形フレームの開口内に第ｋ次六角形フレームが１つだけ配置される。
【手続補正５】
【補正対象書類名】明細書
【補正対象項目名】００１５
【補正方法】変更
【補正の内容】
【００１５】
（５）本発明による建築構造体のさらに別の形態（請求項８）は、線状構造部材を六角形の各辺に配置して形成された六角形フレームと、線状構造部材を三角形の各辺に配置して形成された１種類の三角形フレームとを用いて形成される。三角形フレームは、六角形フレームの各辺を１辺としてこの六角形フレームを６分割した基本三角形と相似形であり、その相似比は１より大きい整数値である。例えば、六角形フレームの一辺の長さを「１０」とすると基本三角形の一辺の長さも「１０」であり、三角形フレームの一辺の長さを「５」とすると相似比は「２」である。
六角形フレームは複数個用いられ、これらの複数の六角形フレームは、二次元的拡がりをもつハニカム形状に剛接合され鉛直方向に立設された基本構造としてのハニカムフレームを形成する。
三角形フレームは２又はそれ以上用いられる。それらのうち少なくとも２つの三角形フレームは、補強構造としていずれかの六角形フレームの開口内において、頂点の剛域拡大のためにその六角形フレームのいずれかの頂点位置に配置される。そしてこれら２つの三角形フレームと六角形フレームとが剛接合される。これら２つの三角形フレームは菱形を形成するので、六角形フレームの頂点を形成する２辺と隙間なく当接する。
【手続補正６】
【補正対象書類名】明細書
【補正対象項目名】００１６
【補正方法】変更
【補正の内容】
【００１６】
（６）本発明による建築構造体のさらに別の形態（請求項９）は、線状構造部材を六角形の各辺に配置して形成された六角形フレームと、線状構造部材を三角形の各辺に配置して線状構造部材で形成された第１次、第２次、．．．、第ｋ−１次、第ｋ次、．．．及び第ｎ次三角形フレームからなる三角形フレーム群とを用いて形成される。三角形フレーム群は、互いに相似で大きさの異なるｎ種類の三角形フレームからなり、高次のものほど小さくなる。この形態では、少なくとも２種類（すなわち第１次と第２次）の三角形フレームを用いる。第１次三角形フレームは、六角形フレームの各辺を１辺としてこの六角形フレームを６分割した基本三角形と相似であり、その相似比は１より大きい整数値である。例えば、六角形フレームの一辺の長さを「１０」とすると基本三角形の一辺の長さも「１０」であり、第１次三角形フレームの一辺の長さを「５」とすると相似比は「２」である。第ｋ−１次三角形フレームと第ｋ次三角形フレームの相似比も１より大きい整数値である（但し、２≦ｋ≦ｎ）。例えば、第１次三角形フレームの一辺の長さを「１０」、第２次三角形フレームの一辺の長さを「１０／３」とすると相似比は「３」である。
六角形フレームは複数個用いられ、これらの複数の六角形フレームは、二次元的拡がりをもつハニカム形状に剛接合され鉛直方向に立設された基本構造としてのハニカムフレームを形成する。
第１次三角形フレームは２又はそれ以上、第２次〜第ｎ次三角形フレームはそれぞれ１又は複数用いられる。これらの第１次〜第ｎ次三角形フレームの各々は、補強構造としてハニカムフレームの内部に配置される。つまり、第１次〜第ｎ次三角形フレームの各々は、いずれかの六角形フレームの開口内に配置されることにより、ハニカムフレームの面内に収容されている。
さらに、２又はそれ以上の第１次三角形フレームがいずれかの六角形フレームの開口内に配置される。それらのうちの少なくとも２つが、頂点の剛域拡大のために六角形フレームのいずれかの頂点位置に配置され剛接合されている。これら２つの第１次三角形フレームは菱形を形成するので、六角形フレームの頂点を形成する２辺と隙間なく当接する。
またさらに、１又は複数の第ｋ次三角形フレームが、いずれかの第ｋ−１次三角形フレームの開口内に配置される。それらのうちの少なくとも１つの第ｋ次三角形フレームが第ｋ−１次三角形フレームのいずれかの頂点位置に配置されて該第ｋ−１次三角形フレームと接合されている。第ｋ−１次三角形フレームは、第ｋ次三角形フレームより１段階だけ大きいフレームである。第ｋ次三角形フレームと第ｋ−１次三角形フレームとは相似であるので、頂点位置において前者の外周が後者の内周に隙間なく当接する。基本的には、第２次より高次の三角形フレームは、必ず、自身よりも１段階だけ大きい三角形フレーム内に直接配置され、２段階以上大きい三角形フレーム内に直接配置されることはない。
【国際調査報告】
2008139582.tif 000014
2008139582.tif 000015
2008139582.tif 000016